(57)【要約】シート調節機構（１０）は、少なくともひとつのリクライニング機構（１６）と、ラッチ機構（２０）と、ニーリング機構（２４）とを備えている。リクライニング機構（１６）は、背もたれをシートに対して屈曲させる役割を果たしており、一方で、フロアーラッチ機構（２０）およびニーリング機構（２４）は、それぞれ、シートアッセンブリを倒して回転させるために、備えられている。さらに、第２リクライニング機構（１８）と、第２フロアーラッチ機構（２２）と、第２ニーリング機構（２６）とが、シートアッセンブリの反対側に備えられてもよい。第１連接機構（４６８）は、第１リクライニング機構（１６）および第１ラッチ機構（２０）を動作可能に連結しており、一方で、第２連接機構（５００）は、第２リクライニング機構（１８）および第２ニーリング機構（２６）を動作可能に連結している。第１および第２連接機構（４６８・５００）は、もし第１フロアーラッチ機構（２０）または第２ニーリング機構（２６）がしっかりと固定されていない場合に、第１および第２リクライニング機構（１６・１８）が使用位置へと回転することを防止している。
2006505379.tif 000002
【特許請求の範囲】
【請求項１】
乗物によって担持されるシート底部と、シート底部に連結された背もたれと、を備える乗物のシートに用いられるシート調節機構であって、
上記シート底部と、上記背もたれとを連結する第１および第２リクライニング機構；
上記乗物シートに連結されており、上記乗物に対して相対的に、上記シート底部を選択的に回転させることができる、第１および第２ラッチ機構；および
上記乗物シートに連結されており、上記乗物に対して相対的に、上記シート底部を平行移動させることができる、第１および第２ニーリング機構；を備え、
上記第１リクライニング機構は、シート底部に対して相対的に、上記背もたれを選択的に回転させることができ、
上記第１リクライニング機構は、上記第１および第２フロアーラッチ機構と機械的に連動しており、
かつ上記第２リクライニング機構は、上記第１および第２ニーリング機構と機械的に連動していることを特徴とする、シート調節機構。
【請求項２】
上記第２リクライニング機構は、上記第１リクライニング機構と連動可能である、請求項１に記載のシート調節機構。
【請求項３】
上記第１リクライニング機構に接続されており、固定位置および解放位置の間で動作して、上記第１リクライニング機構の移動を選択的に制限する、第１連接機構をさらに備える、請求項１に記載のシート調節機構。
【請求項４】
上記第１連接機構は、上記第１または第２ラッチ機構の少なくとも一方が解放位置にある場合に、上記第１および第２ラッチ機構と連動して、上記第１リクライニング機構の移動を選択的に制限できることを特徴とする、請求項３に記載のシート調節機構。
【請求項５】
上記第１連接機構は、上記第１または第２ニーリング機構の少なく一方が解放位置にある場合に、上記第１および第２ニーリング機構と連動して、上記第１リクライニング機構の移動を制限できることを特徴とする、請求項３に記載のシート調節機構。
【請求項６】
上記第２リクライニング機構に接続されており、固定位置および解放位置の間で動作して、上記第２リクライニング機構の移動を選択的に制限する、第２連接機構をさらに備える、請求項１に記載のシート調節機構。
【請求項７】
上記第２連接機構は、上記第１または第２ラッチ機構の少なくとも一つが解放位置にある場合に、上記第１および第２ラッチ機構と連動して、上記第２リクライニング機構の移動を選択的に制限できることを特徴とする、請求項６に記載のシート調節機構。
【請求項８】
上記第２連接機構は、上記第１または第２ニーリング機構の少なくとも１つが解放位置にある場合に、上記第１および第２ニーリング機構と連動して、上記第２リクライニング機構の移動を制限できることを特徴とする、請求項６に記載のシート調節機構。
【請求項９】
さらに、第１作動ハンドルを備えており、
上記第１作動ハンドルは、上記背もたれが上記シート底部に対して相対的に回転できるように、上記第１リクライニング機構を解放することができ、かつ
上記第１作動ハンドルは、第２位置において、シートが上記乗物に対して相対的に回転できるように、上記第１および第２ラッチ機構を解放することができることを特徴とする、請求項１に記載のシート調節機構。
【請求項１０】
さらに、第２作動ハンドルを備えており、
上記第２作動ハンドルは、上記背もたれが、上記シート底部に対して相対的に回転できるように、上記第２リクライニング機構を解放することができ、かつ
上記第２作動ハンドルは、第２位置において、シートが上記乗物に対して相対的に平行移動きるように、上記第１および第２ニーリング機構を解放することができることを特徴とする、請求項１に記載のシート調節機構。
【請求項１１】
乗物に用いられる、調節可能なシートアッセンブリであって、
シート底部と、回転可能に上記シート底部に連結されている背もたれとを有する乗物シートと、
調節機構とを備え、
上記調節機構は、
上記シート底部と、上記背もたれとに連結された、第１および第２リクライニング機構と、
上記乗物シートに連結されており、上記乗物に対して、上記シート底部を選択的に回転させることができる、第１および第２ラッチ機構と、
上記乗物シートに連結されており、上記乗物に対して、上記シート底部を移動させることができる、第１および第２ニーリング機構とを備え、
上記第１リクライニング機構は、上記シート底部に対して、上記背もたれを選択的に回転させることができ、
上記第１リクライニング機構は、上記第１および第２フロアーラッチ機構と機械的に連動し、上記第２リクライニング機構は、上記第１および第２ニーリング機構と機械的に連動することを特徴とする、シート調節機構。
【請求項１２】
上記第２リクライニング機構は、上記第１リクライニング機構と連動できることを特徴とする、請求項１１に記載のシート調節機構。
【請求項１３】
上記第１リクライニング機構に接続されており、固定位置および解放位置の間で動作して、上記第１リクライニング機構の移動を選択的に制限することができる、第１連接機構をさらに備えることを特徴とする、請求項１１に記載のシート調節機構。
【請求項１４】
上記第１連接機構は、上記第１および第２ラッチ機構の少なくともひとつが解放位置にある場合に、上記第１および第２ラッチ機構と連動して、上記第１リクライニング機構の移動を選択的に制限できることを特徴とする、請求項１３に記載のシート調節機構。
【請求項１５】
上記第１連接機構は、上記第１および第２ニーリング機構の少なくともひとつのが解放位置にある場合に、上記第１および第２ニーリング機構と連動して、上記第１リクライニング機構の移動を選択的に制限できることを特徴とする、請求項１３に記載のシート調節機構。
【請求項１６】
上記第２リクライニング機構に接続されており、固定位置および解放位置の間で動作して、上記第２リクライニング機構の移動を選択的に制限することができる、第２連接機構をさらに備えることを特徴とする、請求項１に記載のシート調節機構。
【請求項１７】
上記第２連接機構は、上記第１および第２ラッチ機構の少なくともひとつが解放位置にある場合に、上記第１および第２ラッチ機構と連動して、上記第２リクライニング機構の移動を選択的に制限できることを特徴とする、請求項１６に記載のシート調節機構。
【請求項１８】
上記第２連接機構は、上記第１および第２ニーリング機構の少なくともひとつが解放位置にある場合に、上記第１および第２ニーリング機構と連動して、上記第２リクライニング機構の移動を選択的に制限できることを特徴とする、請求項１６に記載のシート調節機構。
【請求項１９】
第１作動ハンドルをさらに備えており、
上記第１作動ハンドルは、上記第１リクライニング機構を解放することにより、上記背もたれが上記シート底部に対して回転できるようにするとともに、第２位置において、第１および第２ラッチ機構を解放することにより、上記シートが上記乗物に対して回転できるようにすることを特徴とする、請求項１１に記載のシート調節機構。
【請求項２０】
第２作動ハンドルをさらに備えており、
上記第２作動ハンドルは、上記第２リクライニング機構を解放することにより、上記背もたれが、上記シート底部に対して回転できるようにするとともに、第２位置において、第１および第２ニーリング機構を解放することにより、上記シートが、上記乗物に対して移動できるようにすることを特徴とする、請求項１１に記載のシート調節機構。
【請求項２１】
乗物によって担持されるシート底部と、シート底部に連結された背もたれと、を備える乗物のシートに用いられるシート調節機構であって、
上記シート底部を回転させることができる第１ラッチ機構と、
上記シート底部を移動させることができる第１ニーリング機構と、
上記第１ラッチ機構および上記第１ニーリング機構と連動することにより、上記シート底部に対して上記背もたれを回転させることができる、第１リクライニング機構とを備えることを特徴とする、シート調節機構。
【請求項２２】
第２リクライニング機構と、
第２ラッチ機構と、
第２ニーリング機構とをさらに備え、
上記第２リクライニング機構は、上記シート底部および上記背もたれと連結されており、上記第２ラッチ機構および上記第２リクライニング機構と連動することを特徴とする、請求項２１に記載のシート調節機構。
【請求項２３】
上記第２リクライニング機構は、上記第１リクライニング機構と連動することができることを特徴とする、請求項２２に記載のシート調節機構。
【請求項２４】
上記第１ラッチ機構は、上記第２リクライニング機構と連動することができることを特徴とする、請求項２２に記載のシート調節機構。
【請求項２５】
上記第１リクライニング機構は、上記第２リクライニング機構と連動することができることを特徴とする、請求項２３に記載のシート調節機構。
【請求項２６】
上記第２ラッチ機構は、上記第１ラッチ機構と連動することができることを特徴とする、請求項２２に記載のシート調節機構。
【請求項２７】
上記第２ニーリング機構は、上記第１ニーリング機構と連動することができることを特徴とする、請求項２２に記載のシート調節機構。
【請求項２８】
上記第２ラッチ機構は、上記第１リクライニング機構と連動することができることを特徴とする、請求項２２に記載のシート調節機構。
【請求項２９】
上記第２ニーリング機構は、上記第１リクライニング機構と連動することができることを特徴とする、請求項２２に記載のシート調節機構。
【請求項３０】
上記第２リクライニング機構に接続されており、固定位置および解放位置の間で動作して、上記第２リクライニング機構の移動を選択的に制限することができる、第２連接機構をさらに備えることを特徴とする、請求項２２に記載のシート調節機構。
【請求項３１】
上記第２連接機構は、上記第２ラッチ機構と連動することができ、上記第２ラッチ機構は、固定位置および解放位置の間で動作して、上記第２リクライニング機構の移動を選択的に制限できることを特徴とする、請求項３０に記載のシート調節機構。
【請求項３２】
上記第２連接機構は、上記第２ニーリング機構と連動することができ、
上記第２ニーリング機構は、固定位置および解放位置の間で動作して、上記第２リクライニング機構の移動を選択的に制限することができることを特徴とする、請求項３０に記載のシート調節機構。
【請求項３３】
上記第１リクライニング機構に接続されており、固定位置および解放位置の間で動作して、上記第１リクライニング機構の移動を選択的に制限することができる、第１連接機構をさらに備えることを特徴とする、請求項２２に記載のシート調節機構。
【請求項３４】
上記第１連接機構は、上記第１ラッチ機構と連動することができ、
上記第１ラッチ機構は、固定位置および解放位置の間で動作して、上記第１リクライニング機構の移動を選択的に制限することができることを特徴とする、請求項３３に記載のシート調節機構。
【請求項３５】
上記第１連接機構は、上記第１ニーリング機構と連動することができ、
上記第１ニーリング機構は、固定位置および解放位置の間で動作して、上記第１リクライニング機構の移動を選択的に制限することができることを特徴とする、請求項３３に記載のシート調節機構。
【請求項３６】
調節可能なシートアッセンブリであって、
シート底部に回転可能に連結された背もたれと、調節機構とを備え、
上記調節機構は、
上記調節可能なシートアッセンブリに連結されており、上記シート底部を回転させることができる第１ラッチ機構と、
上記調節可能なシートアッセンブリに連結されており、上記シート底部を移動させることができる第１ニーリング機構と、
上記シート底部および上記背もたれに連結されており、上記第１ラッチ機構および上記第１ニーリング機構と連動することができる第１リクライニング機構とを備えることを特徴とする、調節可能なシートアッセンブリ。
【請求項３７】
第２リクライニング機構と、
第２ラッチ機構と、
第２ニーリング機構とをさらに備え、
上記第２リクライニング機構は、上記シート底部および上記背もたれと連結されており、上記第２ラッチ機構および上記第２リクライニング機構と連動することを特徴とする、請求項３６に記載のシート調節機構。
【請求項３８】
上記第２リクライニング機構は、上記第１リクライニング機構と連動することができることを特徴とする、請求項３７に記載のシート調節機構。
【請求項３９】
上記第１ラッチ機構は、上記第２リクライニング機構と連動することができることを特徴とする、請求項３８に記載のシート調節機構。
【請求項４０】
上記第１ニーリング機構は、上記第２リクライニング機構と連動することができることを特徴とする、請求項３８に記載のシート調節機構。
【請求項４１】
上記第２ラッチ機構は、上記第１ラッチ機構と連動することができることを特徴とする、請求項３７に記載のシート調節機構。
【請求項４２】
上記第２ニーリング機構は、上記第１ニーリング機構と連動することができることを特徴とする、請求項３７に記載のシート調節機構。
【請求項４３】
上記第２ラッチ機構は、上記第１リクライニング機構と連動することができることを特徴とする、請求項３７に記載のシート調節機構。
【請求項４４】
上記第２ニーリング機構は、上記第１リクライニング機構と連動することができることを特徴とする、請求項３７に記載のシート調節機構。
【請求項４５】
上記第２リクライニング機構に接続されており、固定位置および解放位置の間で動作して、上記第２リクライニング機構の移動を選択的に制限することができる第２連接機構をさらに備えることを特徴とする、請求項３７に記載のシート調節機構。
【請求項４６】
上記第２連接機構は、上記第２ラッチ機構と連動することができ、
上記第２ラッチ機構は、固定位置および解放位置の間で動作して、上記第２リクライニング機構の移動を選択的に制限することができることを特徴とする、請求項４５に記載のシート調節機構。
【請求項４７】
上記第２連接機構は、上記第２ニーリング機構と連動することができ、
上記第２ニーリング機構は、固定位置および解放位置の間で動作して、上記第２リクライニング機構の移動を選択的に制限することができることを特徴とする、請求項４５に記載のシート調節機構。
【請求項４８】
上記第１リクライニング機構に接続されており、固定位置および解放位置の間で動作して、上記第１リクライニング機構の移動を選択的に制限することができる第１連接機構をさらに備えることを特徴とする、請求項３６に記載のシート調節機構。
【請求項４９】
上記第１連接機構は、上記第１ラッチ機構と連動することができ、
上記第１ラッチ機構は、固定位置および解放位置の間で動作して、上記第１リクライニング機構の移動を選択的に制限することができることを特徴とする、請求項４５に記載のシート調節機構。
【請求項５０】
上記第１連接機構は、上記第１ニーリング機構と連動することができ、
上記第１ニーリング機構は、固定位置および解放位置の間で動作して、上記第１リクライニング機構の移動を選択的に制限することができることを特徴とする、請求項４５に記載のシート調節機構。
【請求項５１】
シート調節機構であって、
固定位置および解放位置において動作できるラッチ機構と、
固定位置および解放位置において動作できるニーリング機構と、
上記ラッチ機構および上記ニーリング機構と連動することができるリクライニング機構と、
上記ラッチ機構または上記ニーリング機構のいずれかが解放位置にあるとき、上記リクライニング機構の動作を制限する連接機構をと備えることを特徴とする、シート調節機構。
【請求項５２】
上記連接機構は、第１位置および第２位置の間を移動することができることを特徴とする、請求項５１に記載のシート調節機構。
【請求項５３】
上記第１連接機構は、
上記第１位置において、上記背もたれと係合しないことにより、上記背もたれを上記シート底部に対して回転できるようにし、
上記第２位置において、上記背もたれと係合することにより、上記背もたれが上記シート底部に対して回転しないようにすることを特徴とする、請求項５２に記載のシート調節機構。
【請求項５４】
上記第１連接機構は、上記ラッチ機構または上記ニーリング機構のいずれか一方が解放位置にあるときに、第２位置にあり、
上記第１連接機構は、上記ラッチ機構および上記ニーリング機構が固定位置にあるときに、第１位置にあることを特徴とする、請求項５２に記載のシート調節機構。
【請求項５５】
上記第１連接機構は、第１部材によって、上記ラッチ機構へと動作可能に接続されているとともに、第２部材によって、上記ニーリング機構へと動作可能に接続されていることを特徴とする、請求項５１に記載のシート調節機構。
【請求項５６】
上記第１および第２部材は、ケーブルであることを特徴とする、請求項５５に記載のシート調節機構。
【請求項５７】
上記第１連接機構の動作は、上記背もたれの、上記シート底部に対する回転によって制御されていることを特徴とする、請求項５１に記載のシート調節機構。
【発明の詳細な説明】
【発明の詳細な説明】
【０００１】
〔技術分野〕
本発明はシートアッセンブリに関する。より具体的には、本発明は、シートアッセンブリに用いられる、組み込み式の、リクライニング、フロアーラッチ、および、ニーリング（kneel）機構に関する。
【０００２】
〔背景技術〕
乗物に用いられるようなシートアッセンブリは、通常、シートに対して背もたれを動かせるように、リクライニング機構を備えている。
また、多くのシートアッセンブリは、乗物内部に追加の床面積（floor space）を提供するように、または、ふさがった場所に、出入りできるように、前方回転軸（a forward pivot）を中心に折り畳むことができる機能を備えている。
シートアッセンブリの折り畳みおよび収納作業を行えるように、通常、組み込み式のリクライニングおよびフロアーラッチ機構が、１つのアッセンブリとして備えられている。
当該フロアーラッチ機構は、通常、選択的に床と係合するように、シートから下方向へと伸びている。
通常は、レバーを一方へと動かすと、シートに対して相対的な動作である、背もたれのリクライニング動作を行うことができる。
さらにレバーを動かすと、シートアッセンブリは床との係合から解放されて、シートアッセンブリが前方向に完全に回転できるようになる。
【０００３】
さらに、いくつかのシートアッセンブリは、シートアッセンブリを前方に屈曲（articulate）させて、シートの後ろの積載空間をさらに増加できるように、シートをさらに前方に折り曲げられる機能を備えている。
シートアッセンブリの屈曲を可能にするために、通常は、ニーリング機構が用いられる。その結果、レバーを一方へ動かすと、当該シートアッセンブリの設計位置（状態）または立ち上がり位置（状態）に対して、シートアッセンブリを前方に屈曲させる、または「ひざまずく（ニーリング）」ことが可能になる。
【０００４】
従来のシートアッセンブリには、シートアッセンブリが、適切に床と係合していない、または、適切に立ち上がり位置（状態）で係合していない場合でも、背もたれを、シートに対して完全に屈曲した位置（状態）にすることが出来てしまうという欠点がある。
予想されうるように、フロアーラッチ機構またはニーリング機構を、シートを使用位置（状態）に戻した際に、ラッチが外れた状態（解放状態）であるにもかかわらず、完全にラッチが固定されたように見えることがある。
これは、ニーリング機構においては、上記の解放状態と、シートアッセンブリが完全にラッチで固定された位置（状態）とには、それほど大きな差がないために、特にニーリング機構に当てはまる現象である。
いずれにしても、シート利用者は、シートアッセンブリがフロアーラッチ機構によって適切に固定された、またはニーリング機構によって適切に立ち上がり位置（状態）に固定されたと誤解し、シートを利用するかもしれない。
【０００５】
〔発明の概要〕
シート調節機構は、少なくともひとつのリクライニング機構、ラッチ機構、および、ニーリング機構を備えている。
本発明の一実施形態においては、第１リクライニング機構は、第１ラッチ機構、および第１ニーリング機構と、動作可能に相互接続されている。
当該リクライニング機構は、シートに対して背もたれを折り曲げる役割を果たしている。一方、フロアーラッチおよびニーリング機構は、それぞれ、シートアッセンブリの、押し上げ回転（dumping）および回転を可能にしている。
さらに、シートアッセンブリには、第１リクライニング機構、第１フロアラッチ機構、および、第１ニーリング機構の反対側に、第２リクライニング機構、第２フロアラッチ機構、および、第２ニーリング機構が備えられてもよい。
【０００６】
第１連結機構（interlock mechanism）は、第１リクライニング機構と第１ラッチ機構とを動作可能に相互接続しており、第２連結機構は、第２リクライニング機構と第２ニーリング機構とを動作可能に相互接続している。
第１および第２連結機構は、第１フロアーラッチ機構または第２ニーリング機構のどちらかが完全に固定されていない場合に、第１および第２リクライニング機構が使用位置（状態）へと回転することを防止している。
さらに、第１および第２リクライニング機構、第１および第２フロアーラッチ機構、ならびに、第１および第２ニーリング機構は、第１機構が固定位置（状態）にあれば、第２機構もまた固定位置（状態）にあるように、それぞれ、動作可能に相互接続されている。
本発明のさらなる応用範囲は、これ以降の詳細な説明により明らかになるであろう。
なお、本発明の好適な実施例を示している、本発明の詳細な説明および具体的な例は、例示のみを目的としたものであって、本発明の範囲を限定するものではないと理解されるべきである。
【０００７】
本発明は、以下の詳細な説明と添付の図によって、より詳細に理解されるであろう。なお、添付の図には以下のものがある。
図１は、本発明の原理に基づいた、リクライニング，フロアーラッチ，ニーリングアッセンブリの透視図である。
図２は、外部プレートを取り外した状態の、図１のリクライニング，フロアーラッチ，ニーリングアッセンブリの第１部分（first half）を示した側面図である。
図３は、外部プレートを取り外した状態の、図１のリクライニング，フロアーラッチ，ニーリングアッセンブリの第２部分（second half）を示した側面図である。
図４ａは、リクライニング、フロアーラッチ、およびニーリングアッセンブリの第１リクライニング機構の分解図である。
図４ｂは、図４ａ中の特定の部品をより詳細に示した分解図である。
図５ａは、リクライニング、フロアーラッチ、およびニーリングアッセンブリの第２リクライニング機構の分解図である。
図５ｂは、図５ａ中の特定の部品をより詳細に示した分解図である。
図６ａは、リクライニング、フロアーラッチ、およびニーリングアッセンブリのラッチ機構の分解図である。
図６ｂは、図６ａ中の特定の部品をより詳細に示した分解図である。
図７は、リクライニング、フロアーラッチ、およびニーリングアッセンブリのニーリング機構の分解図である。
図８は、制動アッセンブリ（trigger assembly）が作動した状態の、第１リクライニング機構の側面図である。
図９は、制動が作動して、背もたれ支持部材と係合している状態の、第１リクライニング機構の側面図である。
図１０は、制動機構が元に戻された状態の、第１リクライニング機構の側面図である。
図１１は、固定位置（状態）にある時の、連結機構の側面図である。
図１２は、解放位置（状態）にある時の、連結機構の側面図である。
図１３ａは、固定位置（状態）におけるラッチ機構の内部の仕組みを示すために、ハウジングの一部を取り除いた状態の、ラッチ機構の側面図である。
図１３ｂは、解放位置（状態）におけるラッチ機構の内部の仕組みを示すために、ハウジングの一部を取り除いた状態の、ラッチ機構の側面図である。
図１４ａは、固定状態におけるニーリング機構の内部の仕組みを示すために、ハウジングの一部を取り除いた状態の、ニーリング機構の側面図である。
図１４ｂは、開放位置（状態）におけるニーリング機構の内部の仕組みを示すために、ハウジングの一部を取り除いた状態の、ニーリング機構の側面図である。
図１５は、シートアッセンブリ内の、リクライニング、フロアーラッチ、およびニーリングアッセンブリの側面図である。
図１６は、シートアッセンブリが、ある程度、前方へと押し上げ回転（dumped forward）された状態の、シートアッセンブリの側面図である。
図１７は、ニーリング位置（状態）にあるシートアッセンブリの側面図である。
図１８は、本発明の原理に基づいて各機構を組み合わせた、リクライニング，フロアーラッチ，ニーリング（ＲＦＫ）機構を示す透視図である。
図１９は、立ち上がり位置（状態）、または使用位置（状態）にある、図１８のＲＦＫの側面図である。
図２０は、背もたれが前方にリクライニングした状態の、図１８のＲＦＫの側面図である。
図２１は、押し上げ回転位置（状態）（dumped position）に向かって回転（旋回）している状態の、図１８のＲＦＫの側面図である。
図２２は、ニーリング位置（状態）にある、図１８のＲＦＫの側面図である。
図２３は、本発明の原理に基づいた、第１リクライニング機構の、第１側面からの側面図である。
図２４は、図２３の第１リクライニング機構の分解図である。
図２５は、図２４の特定の部品をより詳細に示した分解図である。
図２６は、図２４の特定の部品をより詳細に示した分解図である。
図２７は、図２４の特定の部品をより詳細に示した分解図である。
図２８は、立ち上がり位置（状態）にある、図２３のリクライニング機構を、第２側面から見た側面図である。
図２９は、背もたれが前方にリクライニングした位置（状態）にある、図２３のリクライニング機構を、第１側面から見た側面図である。
図３０は、背もたれが前方にリクライニングした位置（状態）にある、図２３のリクライニング機構を、第２側面から見た側面図である。
図３１は、背もたれが後方にリクライニングした位置（状態）にある、図２３のリクライニング機構を、第１側面から見た側面図である。
図３２は、その内部の構成部品を示すために、ハウジングの一部を取り除いた状態の、本発明の原理に基づいたフロアラッチ機構の側面図である。
図３３は、図３２のフロアーラッチ機構の分解図である。
図３４は、固定位置（状態）における、図３２のラッチ機構の側面図である。
図３５は、固定位置（状態）におけるラッチ機構を示すために、ハウジングの一部を取り除いた状態の、図３２のラッチ機構の側面図である。
図３６は、開放位置（状態）における、図３２のラッチ機構の側面図である。
図３７は、解放位置（状態）におけるラッチ機構を示すために、ハウジングの一部を取り除いた状態の、図３２のラッチ機構の側面図である。
図３８は、本発明の原理に基づいた、第２リクライニング機構を、第１側面から見た側面図である。
図３９は、図３８の第２リクライニング機構の分解図である。
図４０は、図３９の特定の部品をより詳細に示した分解図である。
図４１は、背もたれが前方にリクライニングした位置（状態）にある、図３８のリクライニング機構を、第１側面から見た側面図である。
図４２は、背もたれが前方にリクライニングした位置（状態）にある、図３８のリクライニング機構を、第２側面から見た側面図である。
図４３は、背もたれが後方にリクライニングした位置（状態）にある、図３８のリクライニング機構を、第１側面から見た側面図である。
図４４は、後方にリクライニングした位置（状態）にある、図３８のリクライニング機構を、第２側面から見た側面図である。
図４５は、本発明の原理に基づいた、ニーリング機構の側面図である。
図４６は、図４５のニーリング機構の分解図である。
図４７は、固定位置（状態）にある、図４５のニーリング機構を、第１側面から見た側面図である。
図４８は、固定位置（状態）にある、図４５のニーリング機構を、第２側面から見た側面図である。
図４９は、解放位置（状態）、または、ニーリング位置（状態）にある、図４５のニーリング機構を、第１側面から見た側面図である。
図５０は、解放位置（状態）、または、ニーリング位置（状態）にある、図４５のニーリング機構を、第２側面から見た側面図である。
【０００８】
〔発明を実施する最良の形態〕
以下の好適な実施例に関する詳細な説明は、本質的に例示のみを目的としたものであり、本発明、その用途、または、その利用法を限定するものではない。
【０００９】
図１〜３を参考にしながら、リクライニング，フロアーラッチ，ニーリング結合アッセンブリ（ＲＦＫ）１０について説明する。当該ＲＦＫ１０は、シートアッセンブリに用いられるもので、その第１モードにおいては、シートに対して、背もたれをリクライニング、または前方に折り畳むことができる。また、第２モードにおいては、シートに対して、背もたれを前方に折り畳み、シートアッセンブリを押し上げ回転することができる。また、第３モードにおいては、シートアッセンブリを、前方への屈曲させる、または、「ひざまずかせること（ニーリング）」ができる。
当該ＲＦＫ１０は、動作可能に相互接続されている、第１および第２ＲＦＫ半部分（half）１２，１４を備えている。なお、第１および第２ＲＦＫ半部分１２，１４は、それぞれ、第１および第２リクライニング機構１６，１８、第１および第２フロアラッチ機構２０，２２、並びに、第１および第２ニーリング機構２４，２６を備えている。
さらに、選択的な背もたれサポートの位置取り（positioning）を行うために、リクライニング機構１６，１８と動作可能に相互接続されている、背もたれサポート２８，３０が、当該ＲＦＫ１０には備えられている。
図１３ａおよび図１３ｂに図示されているように、フロアラッチ機構２０，２２は、シートアッセンブリをそこに固定するために、床の上に配置されている１対のストライカー（strikers）３５３と選択的に係合している。また、これに関しては、後に詳細な説明を行う。
ニーリング機構２４，２６は、シートを立ち上がり位置（状態）で固定するように、シート構造上に回転可能に担持されている、１対の横断部材と選択的に係合している。これに関しては、図１４ａ、図１４ｂ、および図１７に図示されており、また、後にその詳細を説明する。
【００１０】
第１ＲＦＫ半部分１２は、内部および外部プレート３２，３４を備えており、当該プレートの間に、第１リクライニング機構１６が、動作可能に担持されている。
内部および外部プレート３２，３４の間には、背もたれサポート２８が、回転可能に担持されている。また、背もたれサポート２８は、回転してその位置を合わせられるように、選択的にリクライニング機構１６と係合している。
内部および外部プレート３２，３４の間には、動作レバー１１４が回転可能に担持されている。また、動作レバー１１４は、第１リクライニング機構１６および第１フロアーラッチ機構２０と、動作可能に係合している。第２ＲＦＫ半部分１４の第２リクライニング機構１８についても同様であるが、これに関しては後に詳細を説明する。
【００１１】
第１背もたれサポート２８は、ほぼ三角形のプレート３８を備えており、当該三角形のプレート３８は、当該プレートを貫通している回転軸開口部４０と、弓形端部４２とを備えている。
弓形端部４２の一部分には、そこに形成された複数の歯４４と、連結ノッチ４６とが備えられている。
また、背もたれフレーム（図示されず）を取り付けるために、補助開口部４８が設けられている。
背もたれサポート２８は、背もたれサポート回転軸５０によって、内部および外部プレート３２，３４の間に、回転可能に担持されている。
背もたれサポート回転軸５０は、ディスクエンド（disk end）５２、鍵鍵付き円柱部分（keyed cylindrical section）５４、ベアリング表面５８を有する第１円柱部分５６、第２円柱部分５８、および直径方向ノッチ（diametric notch）６４を有する第３円柱部分６２を備えている。
背もたれサポート回転軸５０は、内部プレート３２の鍵鍵付き開口部６６、第１背もたれサポート２８の回転軸開口部４０、および、外部プレート３４の回転軸開口部６８へと挿入されている。
背もたれサポート回転軸５０を固定して、内部および外部プレート３２，３４との相対的な回転を防止するように、鍵付き円柱部分５４は、内部プレート３２の鍵付き開口部６６との位置が調整されている。
第１背もたれサポート２８がベアリング表面５８上で回転するように、第１円柱部分５６は、第１背もたれサポート２８の回転軸開口部４０内において位置合わせがなされている。
また、第２円柱伸張部６０は、外部プレート３４の回転軸開口部６８と位置が合わされており、第３円柱部分６２は、ディスクエンド５２から伸びている。
【００１２】
第１背もたれサポート２８は、コイルバネ７０によって偏倚されている。当該コイルバネ７０は、第３円柱部分６２の直径方向ノッチ６４と係合する中心平板７２を有している。また、当該コイルバネ７０は、取付開口部７５を通って第１背もたれサポート２８から伸びている支柱７６と係合する、外側に向かって伸びる伸張アーム７４を有している。
支柱７６は、中央円柱部分８１を備えており、当該中央円柱部分８１は、内部および外部プレート３２，３４と相互作用するように、そこから伸びる２つの円柱部分８３を有している。なお、これに関しては、後に詳細な説明を行う。
このように、第１背もたれサポート２８が、図２の視点において時計回り（ＣＷ）に回転すると、支柱７６の円柱部分８３は、伸張アーム７４と係合して、リクライニング動作に反発して偏倚される。
【００１３】
第１背もたれサポート２８は、さらに、第１フロアーラッチ機構２０と相互作用できるように、扇形プレート（sector plate）８４を備えている。これに関して、以下に詳細な説明を行う。
扇形プレート８４は、当該扇形プレート８４を貫通するように形成されており、背もたれサポート回転軸５０を回転可能に支持するための取付開口部８６と、カム表面８８とを備えている。
当該カム表面８８は、第１作用（reaction）表面９０と、第２作用表面９２と、第１および第２作用表面９０，９２の間に配置されている、弓形表面９４とを備えている。
扇形プレート８４は、第１背もたれサポート２８と共に回転できるように、支柱７６によって、第１背もたれサポート２８に固定的に取り付けられる。
【００１４】
第１背もたれサポート２８が、内部および外部プレート３２，３４に対して相対的に回転するとき、リクライニング中に、または、図２の視点において反時計回り（ＣＣＷ）に回転中に、第１背もたれサポート２８が、内部および外部プレート３２，３４に対して、さらに回転することを防止するために、第１ストップ７７において、支柱76は内部および外部プレート３２，３４と接触してもよい。
また、第１背もたれサポート２８が、前方回転中、または図２の視点において時計回り（ＣＷ）に回転中に、支柱７６は、第２ストップ７９と接触して、第１背もたれサポート２８が、内部および外部プレート３２，３４に対して、さらに前方に移動するのを防止してもよい。
このようにして、第１背もたれサポート２８の回転動作範囲が決定される。
【００１５】
第１リクライニング機構１６は、歯止め１００と、リクライニングカム１０２と、主回転軸１０４と、制動プレート１０６と、ラッチカム１０８と、ラッチ連結結部材１１０と、鍵鍵１１２と、作動レバー１１４とを備えている。
歯止め１００は、第１および第２伸張部１１６，１１８と、取付開口部１２０とを備えている。
第１伸張部１１６は、複数の歯１２２と、係合表面１２４とを備えている。当該歯１２２は、第１背もたれサポート２８の歯４４と選択的に係合し、内部および外部プレート３２，３４に対する、背もたれサポート２８の複数の回転位置（すなわち、リクライニング位置）を決定する。また、当該係合表面１２４は、リクライニングカム１０２と相互作用する。なお、これらについては後に詳細な説明を行う。
第２伸張部１１８は、係合表面１２６を備えている。そして第２伸張部１１８は、通常、カム収納部１２８がその間で設置できるように、係合表面１２２と対向している。
【００１６】
歯止め１００は、回転軸１３０によって、内部および外部プレート３２，３４の間に、回転可能に担持されている。それによって、回転軸１３０は、第１および第２円柱部分１３６，１３８に挟まれた、中央円柱部分１３２を備えている。
第１円柱部分１３６は、歯止め１００と係合する係合表面１３４を備えている。これにより、歯止め１００は回転軸１３０と固定されて、これらが一緒に回転する。
第１円柱部分１３６は、歯止め１００が係合表面１３４付近での回転を制限するために、取付開口部１２０へと挿入されている。一方、第１および第２円柱部分１３６，１３８は、開口部１４０を通って、内部および外部プレート３２，３４へ回転可能に取り付けられている。
このように、中央円柱部分１３２は、内部および外部プレート３２，３４間の、スペーサーとしての役割を果たしている。
図４ａおよび図４ｂに示されているスプライン連結結部材１３５によって、歯止め１００と取付開口部１２０の間の相対的な回転は、達成される。
なお、ここではスプライン連結結部材１３５を用いているが、溶接などの、歯止め１００と回転軸１３０との相対的な回転を防止する、その他の適当な手段を用いることも予測され得ることであり、そのような手段を用いたものも、本発明の範囲内に含まれるものであると見なされるべきである。
さらに、第１円柱部分１３６は、通常、コイルバネ１６６を取り付けられるように、その長さに沿って形成された、バネスロット１３９を備えている。
コイルバネ１６６は、バネスロット１３９に受容される中心平板１６８と、バネ支柱１７２に接触する伸張部１７０とを備えている。当該バネ支柱１７２は、コイルバネ１６６が、歯止め１００を第１回転方向（図２の視点において反時計回り（ＣＣＷ））に偏倚させるように、内部プレート３２に固定して取り付けられている。
【００１７】
リクライニングカム１０２は、第１および第２伸張部１４２，１４４と、当該カムを貫通するように形成された取付開口部１４６とを備える、ほぼ平面的な部材である。
第１伸張部１４２は、歯止め１００の係合表面１２４，１２６と相互作用を行うための作用表面１４８を備えている。一方、第２伸張部１４４は、第２リクライニング機構１８と相互接続できるように、ケーブル開口部１５０を備えている。なお、これらに関しては、後にその詳細を説明する。
【００１８】
ラッチカム１０８は、第１伸張部１７４と、当該カムを貫通するように形成された鍵付き取付開口部１７６とを備える、ほぼ平面的な部材である。
第１伸張部１７４は、その末端に、ピン１８０を受容するピン開口部１７８を備えている。
ピン１８０は、第１および第２円柱部分１８２，１８４を備えている。それで当該第１円柱部分１８２は、内部プレート３２のスロット１８６へと、スライド可能に挿入されている。その結果、スロット１８６は、ピン１８０の動作範囲を、ひいては、ラッチカム１０８の動作範囲を決定する。
第２円柱部分１８４は、ベアリング表面１８５を備えている。また、第２円柱部分１８４は、ピン開口部１７８へと、固定的に挿入される。
また、第２円柱部分１８４は、通常、動作レバー１１４と相互作用できるように、ラッチカム１０８を通り、外部プレート３４に向かって伸びている。
【００１９】
ラッチ連結結部材１１０は、取付開口部１８８と、ケーブル開口部１９０と、中央取付開口部１９２と、鍵１１２と相互作用するツメ１９４とを備える、細長い、ほぼ平面的な部材である。
中央取付開口部１９２は、内部および外部プレート３２，３４の間で回転可能に支持するための主回転軸１０４を受容している。
【００２０】
取付開口部１８８およびケーブル開口部１９０は、通常、ラッチ連結結部材１１０の端において対向して配されている。当該ラッチ連結部材１１０内に中央取付開口部１９２が備えられている。
ツメ１９４は、ラッチ連結結部材１１０から、通常は外部プレート３４に向かって伸びている。また、ツメ１９４は、鍵１１２と相互作用できるように、係合表面１９６を備えている。なお、これに関しては、後に詳細な説明を行う。
【００２１】
鍵１１２は、鍵付き取付開口部１９８と、係合表面２０２を有する伸張部２００とを備えている。
鍵１１２は、当該鍵１１２と主回転軸１０４との間の相対的な回転を防止するように、主回転軸１０４に固定して取り付けられる。
その結果、主回転軸１０４が第２回転方向（図２におけるＣＷ）に十分に回転すると、それにともに、ツメ１１２も回転する。
鍵１１２が十分に回転すると、係合表面２０２がツメ１９４に接触し、それに次いで、ラッチ連結結部材１１０が回転する。
【００２２】
制動プレート１０６は、取付開口部２０４を有する第１端と、ピン２０６が取り付けられる第２端とを備えている。
取付開口部２０４には、主回転軸１０４が固定されて挿入されており、主回転軸１０４が回転すると、それに伴って制動プレート１０６が回転する。
ピン２０６は、扇形プレート８４と相互作用するように、作用表面２０８を備えている。また、当該ピン２０６は、制動プレート１０６のノッチ２０７に密着するように押しつけられている。
なお、本発明においては、ピン２０６は制動プレート１０６に密着して押しつけられるとしているが、溶接などの、ピン２０６を制動プレート１０６に固定的に取り付ける、その他の適当な方法を用いることも予測され得ることである。従って、そのような方法を用いたものも、本発明の範囲に含まれるものであると見なされるべきである。
【００２３】
リクライニングカム１０２とラッチ連結結部材１１０とは、内部および外部プレート３２，３４の間に、主回転軸１０４の周囲を回転可能できるように、担持されている。
ラッチカム１０８と鍵１１２とは、主回転軸１０４により、内部および外部プレート３２，３４の間に担持されている。また、制動プレート１０６は、主回転軸１０４により、内部プレート３２の外表面上に、固定されて担持されている。
つまり、制動プレート１０６と、ラッチカム１０８と、鍵１１２とは、それぞれ、第１、第２、および第３鍵付き伸張部１５６，１５８，１６０によって、主回転軸１０４の周囲に担持されており、主回転軸１０４の回転に応じて、これら部材が回転するが、リクライニングカム１０２と、ラッチ連結部材１１０は、主回転軸１０４に対して、自由に回転することができる、と理解すべきである。
【００２４】
主回転軸１０４は、ベアリング表面を有する中央円柱部分１５２と、内部および外部プレート３２，３４の間のスペーサーとしての役割を果たす円柱部分１５３と、第１、第２、および第３鍵付き伸張部１５６，１５８，１６０と、を備えている。
第１鍵付き伸張部１５６は、弓形ベアリング表面１５７を備えており、内部プレート３２の取付開口部１６２に挿入されている。一方、第３鍵付き伸張部１６０は、弓形ベアリング表面１６１を備えており、外部プレート３４の取付開口部１６４に挿入されている。その結果、主回転軸１０４は、内部および外部プレート３２，３４と相対的に、ベアリング表面１５７，１６１上を回転することができる。
中央円柱部分１５２は、リクライニングカム１０２の取付開口部１４６に挿入されており、従って、リクライニングカム１０２は、主回転軸１０４に対して相対的に、ベアリング表面１５４の周囲を旋回することが可能となっている。
【００２５】
作動レバー１１４は、通常、レバーアーム２１０と、鍵付き主軸開口部２１２とを備える、平面部分を有している。
第１背もたれサポート２８を選択的に動作させるように、リクライニングカム１０２およびラッチカム１０８と相互作用する作用表面２１４を、レバーアーム２１０は、備えている。
動作レバー１１４は、軸（spindle）２１６によって、内部および外部プレート３２，３４の間に回転可能に担持されている。
軸２１６は、平面部分２２０とノッチ２２２とを有する円錐柱部分２１８と、ベアリング表面２２６を有する第２円柱部分２２４と、鍵２３０を有する鍵付き円柱部分２２８と、中央ディスク型部分２３２と、ノッチ２３６を有する第４円柱部分２３４とを備えている。
軸２１６は、軸開口部２１２へと挿入されている。それによって、軸開口部２１２内部で軸２１６が相対的に回転しないように、鍵付き円柱部分２２８の鍵２３０と、軸開口部２１２の鍵とが一直線に並んでいる。
軸２１６は、さらに、内部および外部プレート３２，３４の補助開口部２３８に挿入されており、内部および外部プレート３２，３４の間に軸２１６が担持されている。
【００２６】
動作レバー１１４は、コイルバネ２４０によって回転できるように、中立位置へと偏倚されている。
コイルバネ２４０は、中心平板（central flat）２４２と、外側に向かって伸びる伸張アーム２４４とを備えている。
中心平板２４２は、第４円柱部分２３４のノッチ２３６に挿入されており、伸張アーム２４４は、外部プレート３４の固定点２４６と係合している。
作動レバー１１４が中立位置から回転すると、コイルバネ２４０は、作動レバー１１４を中立位置に戻すように偏倚する。
【００２７】
内部および外部プレート３２，３４の間に間隔をとるために、スペーサー２４８がさらに備えられる。
スペーサー２４８は、中央円柱部分２５０と、側部円柱部分２５２とを備えている。
側部円柱部分２５２は、内部および外部プレート３２，３４の間にスペーサー２４８が担持されるように、内部および外部プレート３２，３４の開口部２５４へと挿入される。
内部および外部プレート３２，３４の間隔は、中央円柱部分２５０の横幅によって決定される。
【００２８】
図６ａおよび図６ｂに最もよく示されているように、第１フロアーラッチ機構２０は、作動レバー２５９と、作動カム２５８と、ラッチカム２６０と、第１および第２ハウジングプレート２６６，２６８を有するハウジング２６４と、を備えている。
以下に詳述するとおり、第１リクライニング機構１６と接続されている第１ケーブル４７８と、第２フロアラッチ機構２２と接続されている第２ケーブル２７２と、が接続されているケーブル開口部１７０を、作動レバー２５９は備えている。
特に、以下にその詳細が示されているように、第１および第２フロアーラッチ機構２０，２２のいずれかが、解放位置（状態）にある場合に、第１背もたれサポート２８の動作を選択的に防止するように、第１ケーブル４７８は、ラッチ連結部材１１０のケーブル開口部１９０に接続されており、さらに、第１リクライニング機構１６に接続されている。
【００２９】
作動レバー２５９は、回転軸２７６が挿入されるための鍵付き開口部２７４を、さらに備えている。
回転軸２７６は、その上に形成された平面部分２８０を有する当該第１円柱部分２７８と、ベアリング表面２８４を有する第２円柱部分２８２と、平面部分２８８を有する第３円柱部分２８６と、ベアリング表面２９２およびスロット２９４を有する第４円柱部分２９０とを備えている。なお、スロット２９４は、第４円柱部分２９０を長手方向に貫通するように形成されている。
作動レバー２５９の鍵付き開口部２７４には、回転軸２７６の第１円柱部分２７８が挿入されている。そして、回転軸２７６と作動レバー２５９との間の相対的な回転が防止するように、平面部分２８０には鍵付き開口部２７４が、係合するように挿入されている。
【００３０】
作動カム２５８は、鍵付き取付開口部２９６と、第１および第２伸張部２９８，２９９とを有する、ほぼ平面的な部材である。
鍵付き取付開口部２９６には、第３円柱部分２８６が係合するように挿入されている。それによって、平面部分２８８と鍵付き取付開口部２９６とが協同して両部材間の相対的な回転を防止する。
回転軸２７６の第２および第４円柱部分２８２，２９０は、第１および第２ハウジングプレート２６６，２６８の開口部２７７へと挿入される。このようにして、作動カム２５８は、ハウジング２６４に対して相対的に、ベアリング表面２８４，２９２上を回転することができる。
第１伸張部２９８は、さらに、係合表面３０２を有する凹部（recess）３００を備えている。通常、係合表面３０２は、ラッチカム２６０と相互作用するように、鍵付き取付開口部２９６の反対側に配置されている。また、第２伸張部２９９は、作動カム２５８と選択的に係合している。なお、これに関して、以下に詳細な説明を行う。
【００３１】
作動カム２５８は、コイルバネ３０４によって、第２回転方向（図１３ａおよび図１３ｂの視点で時計回り（ＣＷ）方向）に偏倚されている。
コイルバネ３０４は、第１ハウジングプレート２６６の外側表面上に配置されており、さらに、第４円柱部分２９０に形成されている長手方向スロット２９４と係合する中心平板３０６と、開口部２５１を通って、第１ハウジングプレート２６６から伸びている支柱３１０と係合する、外側に向かって伸びる伸張アーム３０８と、を備えている。
このようにして、作動カム２５８は、図１３ａおよび図１３ｂに示されているように、固定位置（状態）に向かって、時計回り（ＣＷ）方向へと回転される。その際、解放位置（状態）に向かった反時計回り（ＣＣＷ）方向の回転に反発して偏倚するように、支柱３１０が伸張アーム３０８と係合している。
このように、第１フロアーラッチ機構２０のラッチを外すには、コイルバネ３０４の偏倚力に打ち勝つ、十分な力を加えなければならないくらいに、作動カム２５８が固定位置（状態）に偏倚させている。
【００３２】
ラッチカム２６０は、中央取付開口部３１２と、第１および第２伸張部３１４，３１６とを備えている。
第１伸張部３１４は、ラッチ２６２と選択的に係合する、係合表面３１８を備えており、第２伸張部３１６は作動カム２５８の第２伸張部２９９と選択的に相互作用する、作用表面３２０を備えている。
ラッチカム２６０は、回転軸２３３によって、第１および第２ハウジングプレート２６６，２６８の間に回転可能に担持されており、当該回転軸２３３は、第１および第２円柱部分３２６，３２８を有する中央円柱部分３２４を備えている。当該第１および第２円柱部分３２６，３２８は、中央円柱部分３２４から軸平行方向に伸びており、それぞれ、ベアリング表面を有している。
第１および第２円柱部分３２６，３２８は、第１および第２ハウジングプレート２６６，２６８の間に回転可能に担持されるように、当該第１および第２ハウジングプレート２６６，２６８の開口部３７０に挿入されている。
第１および第２円柱部分３２６，３２８よりもその直径が大きい、中央円柱部分３２４は、ラッチカム２６０の中央取付開口部３１２へと圧入される。
さらに、図１３ａおよび図１３ｂに最もよく示されているように、中央円柱部分３２４の中心軸Ｗは、第１および第２円柱部分３２４，３２６の中心軸Ｚから、位置をずらしてある。
したがって、ラッチカム２６０が回転（旋回）される時、軸Ｗは、中心軸Ｚの周囲を回転するように、ラッチカム２６０の回転運動は回転軸３２２によって担持されている。
このようにして、ラッチカム２６０は、第１および第２ハウジングプレート２６６，２６８の間を回転するだけでなく、その間の変位をも行う。
このように、回転軸３２２、および、サイズの大きい第１伸張部３１４と小さい第２伸張部３１６との全体の大きさの違いにより起こる、前述の変位によって、ラッチカム２６０は、ラッチ２６２と係合する方向へと偏倚される。
【００３３】
ラッチ２６２は、バネ開口部３３２と、回転軸開口部３３４と、取付開口部３３６と、作用表面３３８と、ストライカー収納部（striker recess）３４０と、を備える平板である。
バネ開口部３３２には、ラッチバネ３４２が取り付けられる。それによって、ラッチバネ３４２は、支柱３１０においてハウジング２６４へ取り付けられており、ラッチ２６２を第２回転方向へと偏倚させている。
回転軸開口部３３４には、ラッチ２６２を回転可能に担持するように、ラッチ回転軸３４４が挿入されている。
ラッチ回転軸３４４は、中央円柱部分３４６を備えている。また、当該中央円柱部分３４６は、そこから軸平行方向に伸びており、それぞれベアリング表面を有している、第１および第２円柱部分３４８，３５０を備えている。
第１および第２円柱部分３４８，３５０は、第１および第２ハウジングプレート２６６，２６８の開口部３５２へと挿入されており、当該第１および第２ハウジングプレートの間に回転可能に担持されている。
中央円柱部分３４６は、ラッチ２６２の回転軸開口部３３４へと挿入されている。
ストライカー収納部（striker recess）３４０は、選択的にストライカー３５３を受容するように形成されている。なお、これに関しては後に詳細な説明を行う。
ラッチ２６２の作用表面３３８は、ラッチ２６２を密接位置（状態）または固定位置（状態）に保持するために、ラッチカム２６０の係合表面３１８と、選択的に係合している。
この係合によって、ラッチ２６２の移動が防止される。従って、ラッチ２６２の回転が防止される。
【００３４】
作用表面３５６と、回転軸開口部３５８と、取付開口部３６０とを有する、ラッチプレート３５４を、ラッチ２６２は、さらに備えている。
ラッチプレート３５４は、ラッチ２６２に隣接して配置されている。それによって、ラッチ回転軸３４４は回転軸開口部３５８へと挿入される。
リベット３６２が提供され、そして、ラッチ２６２と共に回転するようにラッチプレート３５４を固定するために、リベット３６２が取付開口部３６０へと挿入される。
また、ラッチプレート３５４は、ラッチ２６２の作用表面３３８よりも突出して伸びている。
【００３５】
ハウジング２６４は、取付開口部３６４を有する第１端、および取付開口部３６６を有する第２端を備える、おおよそ細長い部材である。それには、様々なラッチ構成部材が配置される。
ストライカー３５３が第１フロアーラッチ機構２０と相互作用できる空間を提供する、ラッチ凹部３６８を、ハウジング２６４は、さらに備えている。
第１および第２ハウジングプレート２６６，２６８を固定して取り付けるために、第１および第２端に、それぞれ取付開口部３６４，３６６を通じて、リベット３７０が挿入される。
一実施形態においては、後にその詳細が説明されるように、ハウジング２６４の第１および第２端は、補助部材を担持している。
このようにして、補助部材は、リベット３７０を中心にして、カラー（collar）３７２の周囲を回転する。
【００３６】
図７に示されているように、第１ニーリング機構２４は、横断部材（cross member）３７４と、ロッキングパール（locking pawl）３７６と、バネアッセンブリ３７８と、作動レバー３８０と、第１および第２ハウジングプレート３８４，３８６を有するハウジング３８２と、を備えている。
横断部材３７４は、取付開口部３８８を第１端に備え、そしてロッキングパール３７６と選択的に相互作用する複数の歯３９０を備えている、ほぼ平面的な部材である。
下部ブラケット３９４の取付開口部３７６を通じて、横断部材３７４を回転可能に下部ブラケット３９４へと取り付けるために、取付開口部３８８にはリベット３９２が挿入される。
横断部材３７４の第２端は、ハウジング３８２の内部へとスライド可能にはめ込まれている。それにより、ハウジング３８２内部の横断部材３７４の移動は、ベアリング表面４００とリベット４０２とを有する、横断部材ガイド３９８によって拘束される。
リベット４０２は、その両横に第１および第２円柱部分４０６，４０７を有する、中央円柱部分４０３を備えている。また、リベット４０２はさらに、横断部材３７４と相互作用するベアリング表面４０４を備えている。
リベット４０２の第１および第２円柱部分４０６，４０７は、第１および第２ハウジングプレート３８４，３８６の開口部４０８へと挿入されており、中央円柱部分４０４は、当該第１および第２ハウジングプレートの間のスペーサーとしての役割を果たす。
【００３７】
横断部材ガイド３９８は、中央開口部４１０とベアリング表面４００とを備えている、ほぼ三角形の部材である。
横断部材ガイド３７４の中央開口部４１０には、第２リベット４０９の中央部分４０５が挿入される。それによって、第１および第２円柱部分４１１，４１３が、ハウジング３８２の開口部４１２に挿入され、第１および第２ハウジングプレート３８４，３８６を固定して取り付ける役割を果たす。一方で、中央円柱部分４０５は、横断部材ガイド３９８と協同して、当該ハウジングプレートの間のスペーサーとしての役割を果たす。
既に述べられたように、横断部材ガイド３９８とリベット４０２は、ハウジング３８２内部における、横断部材３７４の移動を制限する役割を果たす。
具体的には、ベアリング表面４００から、リベット４０２の中央円柱部分４０３までの距離によって、横断部材３７４が、ハウジング３８２と相対的に、横方向に移動できる範囲が決定される。
【００３８】
ロッキングパール３７６は、当該ロッキングパール３７６を貫通するように形成された取付開口部４１６と、複数の歯４１４とを備える、ほぼ平面的な部材である。
取付開口部４１６は、それぞれ、互いとは反対側の場所に配置されている。さらに、内部および外部ハウジングプレート３８４，３８６の開口部４２０を用いて、ロッキングパール３７６をハウジング３８２へと固定して取り付けるように、取付開口部４１６には、リベット４１８が挿入される。
図７に最もよく示されているように、複数の歯４１４は、通常、開口部４１６の間に配置されている。
複数の歯４１４は、横断部材３７４をハウジング３８２に選択的に固定して、両者間の相対的な移動を防止するように、横断部材３７４の歯３９０と選択的に係合している。
【００３９】
作動レバー３８０は、鍵付き取付開口部４２０と、伸張部４２２と、バネアッセンブリ３７８と相互作用する凹部４２４と、を備えている。
伸張部４２２は、鍵付き取付開口部４２０から伸びており、ケーブル取付開口部４２６を備えている。
凹部４２４は、通常、伸張部４２２の付け根部分に配置されており、図１４ａおよび図１４ｂに最もよく示されているように、ベアリング表面４３０を有するソケット４２８を備えている。
鍵付き取付開口部４２０には、第１および第２ハウジングプレート３８４，３８６の間に作動レバー３８０を回転可能に担持する、回転軸４３２が挿入される。
当該回転軸４３２は、中央鍵付き部分４３４と、第１および第２円柱部分４３６，４３８とを備えている。
中央鍵付き部分４３４は、合わせ面が係合するように、鍵付き取付開口部４２０へと挿入される。その結果、作動レバー３８０は、回転軸４３２と一緒に回転する。
第１円柱部分４３６は、第１ハウジングプレート３８４の開口部４４０へと、回転可能に挿入されており、第２円柱部分４３８は、第２ハウジングプレート３８６の取付開口部４２２へと、回転可能に挿入されている。
一実施形態において、第２円柱部分４３８は、手動で作動レバー３８０を操作できるように、外部ハンドル５２８が取り付けられている。なお、これに関しては、以下に詳細な説明を行う。
なお、ここでは外部ハンドル５２８を用いているが、作動レバー３８０が一体型のハンドルを備えていても良いと理解されるべきであり、従って、そのようなものも、本発明の範囲内に含まれるものであると見なされるべきである。
さらに、ここでは第１ニーリング機構２４の一部分として外部ハンドル５２８を示したが、当該外部ハンドル５２８もまた、第２ニーリング機構２６の作動レバー３８０に組み込まれても構わない。
【００４０】
バネアッセンブリ３７８は、細長い支柱４４４と、バネ４４６とを備えている。
支柱４４４は、その第１端に、ベアリング表面４４９を有するボール４４８を備えており、第２端に、作用表面４５１を有するバネ止め４５０を備えている。
ボール４４８は、支柱４４４の軸を取り囲んでおり、バネ４４６と相互作用を行う、カラー４５２を、さらに備えている。
バネ止め４５０は、内部および外部ハウジングプレート３８４，３８６の間でバネアンカー４５０を固定するために、内部および外部ハウジングプレート３８４，３８６の開口部４５６に受容される、円柱支柱４５４を、さらに備えている。
ボール４４８は、ソケット内部で回転移動できるように、合わせ面を係合させて、ソケット４２８へと受容される。従って、ソケット４２８のベアリング表面４３０は、ボール４４８のベアリング表面に作用を及ぼす。
具体的には、バネ４４６が、ボール４４８とバネ止め４５０との間に配置されている。その結果、バネ４４６の第１端が、ボール４４８のカラー３５２に作用し、また、バネ４４６の第２端が、バネ止め４５０の作用表面４５１に作用して、ボール４４８の回転運動が引き起こされる。
このようにして、バネ４４６は、横断部材３７４との係合する位置（状態）、および、それに次いだ固定位置（状態）へと、レバー３８０を偏倚させている。
【００４１】
ハウジング３８２は、前部補助部材４５８によって回転可能に担持されており、その結果、ハウジング３８２は、前部補助部材４５８に対して相対的に回転（旋回）することができる。
前部補助部材４５８は、前面部４５９を有する細長い部材であり、さらに、それと一体型の側面補助部材４６０を備えている。
側面補助部材４６０は、その第１端において、第１対開口部４６２を備えており、当該開口部には、軸方向に回転軸を取り囲むカラー４６７を有する、回転軸４６６が挿入される。その結果、ハウジング３８２は、前部補助部材４５８に対して相対的に、カラー４６７を中心に回転することができる。
具体的には、前部補助部材４５８の側面補助部材４６０が、それぞれ内部および外部ハウジングプレート３８４，３８６の外部表面上に配置されるように、内部および外部ハウジングプレート３８４，３８６の開口部３８３へ回転軸４６６は挿入されている。
前部補助部材４５８は、その第２端において、下部ブラケット３９４の取付開口部４６７と、前部補助部材４５８の取付開口部４６５とによって、下部ブラケット３９４へ回転可能に取り付けられる。
さらに、前部補助部材４５８が、下部ブラケット３９４に対して相対的に、カラー４６７を中心に回転するように、前部補助部材４５８の開口部４６５と、下部ブラケット３９４の開口部４６７とには、第２の回転軸を取り囲むカラー４６７を有する第２回転軸４６６が挿入される。
【００４２】
このようにして、前部補助部材４５８は、ハウジング３８２および下部ブラケット３９４に対して相対的に回転することができる。
具体的には、横断部材３７４がロッキングパール３７６から解放されると、ハウジング３８２は、自由に、前部補助部材４５８と相対的な回転を行うことができる。
さらに、横断部材３７４がロッキングパール３７６から解放されると、前部補助部材４５８は、下部ブラケット３９４と相対的な回転を行うことができる。これによって、ハウジング３８２および前部補助部材４５８を前方に屈曲させ、それと同時に下方へと移動させることが可能になる（図１７参照）。
【００４３】
第１ＲＦＫ半部分１２は、さらに、第１連結部品４６８を備えている。第１連結部品４６８は、フロアーラッチ機構２０，２２またはニーリング機構２４，２６のいずれかが、図２、図４ａ、および図４ｂに示されるように、適切に固定されていない場合に、第１背もたれサポート２８が使用位置（状態）または立ち上がり位置（状態）になることを防止する、連結プレート４６９を備えている。
フロアーラッチ機構２０，２２は、ストライカー３５３がしっかりと固定されている時に、固定位置（状態）にあると見なされる。一方、ニーリング機構２４，２６は、ロッキングパール３７６が横断部材３７４としっかりと係合している時に、固定位置（状態）にあると見なされる。
【００４４】
連結プレート４６９は、主回転軸１０４によって、回転可能に、第１外部プレート３４の外側表面に隣接して担持されている。また、当該連結プレート４６９は、背もたれサポート２８と選択的に係合する、連結支柱４７２を備えている。
線バネ４７６は、連結プレート４６９に偏倚力を加えるように、当該連結プレート４６９の周囲に配置されている。
このように、連結支柱４７２は、背もたれサポート２８と係合する方向へと偏倚されている。
一方で、第１連結ケーブル４７８は、ラッチ連結部材１１０を介して、連結プレート４６９と、第１フロアーラッチ機構２０とを、動作可能に相互接続している。
具体的には、第１連結ケーブル４７８は、その第１端が、ラッチ連結部材１１０のケーブル開口部１９０に接続されており、さらに、当該ケーブルは、第１フロアーラッチ機構２０の作動レバー２５９のケーブル開口部２７０へと接続されている。  
第１連結ケーブル４７８に張力が加えられると、ラッチ連結部材１１０が回転し、それによって連結部材４８２と、連結プレート２６９が係合する。
連結部材４８２は、取付開口部４８３と、長手方向スロット４８４とを備えている。
ラッチ連結部材１１０は、連結部材４８２の取付開口部４８３およびラッチ連結部材１１０の開口部１８８へと挿入されている、リベット４８５によって、連結部材４８２へと回転可能に取り付けられている。
長手方向スロットも同様に、もう一つのリベット４８５によって、連結プレート４６９に取り付けられている。
【００４５】
以下にその詳細が説明されているが、フロアーラッチ機構２０，２４の両方が適切に係合しているとき、第１連結ケーブル４７８上に張力が働く。従って、ラッチ連結部材１１０および連結部材４８２が回転し、その結果、連結プレート２６９がバネ４７６の偏倚に反発して引っ張られると、背もたれサポート２８が、前方折り畳み位置（状態）から、使用位置（状態）または立ち上がり位置（状態）へと戻ることが可能になる。
一方で、フロアーラッチ機構２０，２４のいずれかが適切に固定されていない場合、第１連結ケーブル４７８は緩んだ状態である。従って、線バネ４７６によって、連結プレート２６９は、背もたれサポート２８と係合するように偏倚されている。
このような場合、背もたれサポート２８を前方折り畳み位置（状態）から戻す回転によって、連結支柱４７２は連結ノッチ４６と係合し、これにより、使用位置（状態）または立ち上がり位置（状態）へと、背もたれサポート２８が戻ることが防止される。
【００４６】
第２ＲＦＫ半部分は、内部および外部プレート３２ａ，３４ａを備えており、当該プレートの間には、第２リクライニング機構１８が動作可能に担持されている。
第２背もたれサポート３０は、内部および外部プレート３２ａ，３４ａの間に回転可能に担持されている。また、図３に最もよく示されているように、第２背もたれサポート３０は、回転して当該サポート３０の位置決めを行えるように、リクライニング機構１８と選択的に係合している。
作動レバー１１４ａは、内部および外部プレート３２ａ，３４ａの間に、回転可能に担持されている。また、第１ＲＦＫ半部分１２の第１リクライニング機構１６の時と同様に、作動レバー１１４ａは、第２リクライニング機構１８と動作可能に係合している。
第１ＲＦＫ半部分１２に関連する構成要素の機能および構造は、第２ＲＦＫ半部分１４のものと、かなり類似したものである。従って、以下の記述および図表中で、類似した構成要素を特定する際に、類似した部材参照番号を用いている。なお、変更が加えられた構成要素を特定する際には、文字の拡張子を含む、類似した部材参照番号を用いている。
【００４７】
図３、図５ａ、および図５ｂに最もよく示されているように、第２背もたれサポート３０は、ほぼ三角形の形状である第１および第２ハウジングプレート３８ａ，３８ｂと、その間に配置されているロッキングプレート４８６とを備えている。
ロッキングプレート４８６は、回転軸開口部４０ａと、取付開口部４８８と、弓形端部４２ａとを備えている、ほぼ平面的な部材である。
弓形端部４２ａの一部分には、その表面上に形成された複数の歯４４ａと、連結ノッチ４６ａとが備えられている。
第１および第２ハウジングプレート３８ａ，３８ｂは、回転軸開口部４０ｂ，４０ｃと、取付開口部４８９とを備えている。
さらに、ロッキングプレート４８６と、第１および第２ハウジングプレート３８ａ，３８ｂとは、背もたれフレーム（図示されず）を取り付けるための、補助開口部４８ａを備えている。
【００４８】
既に説明されたように、ロッキングプレート４８６は、第１および第２ハウジングプレート３８ａ，３８ｂの間に配置されており、リベット４９０により固定されている。なお、リベット４９０は、中央円柱部分４９１を有しており、ロッキングプレートの開口部４８８へと挿入されている。
リベット４９０は、さらに、中央円柱部分４９１の両側に配置されている、第１および第２円柱部分４９２，４９４を備えている。当該第１および第２円柱部分４９２，４９４は、ロッキングプレート４８６が、第１および第２ハウジングプレート３８ａ，３８ｂの間に固定して保持されるように、当該第１および第２ハウジングの取付開口部４８９へと挿入されている。
さらに、中央円柱部分４９１は、第１および第２ハウジングプレート３８ａ，３８ｂの間でスペーサーとしての役割を果たすように、第１および第２円柱部分４９２，４９４よりも直径が大きくされている。
このようにして、ロッキングプレート４８６は、第１および第２ハウジングプレート３８ａ，３８ｂと一緒に回転するように固定されている。
さらに、図３、図５ａ、および図５ｂに最もよく示されているように、第１および第２ハウジングプレート３８ａ，３８ｂと、ロッキングプレート４８６とを、よりしっかりと固定するために、ハウジングプレート３８ａ，３８ｂおよびロッキングプレート４８６の補助開口部には、リベット４９６が挿入される。
【００４９】
背もたれサポート３０は、背もたれサポート回転軸５０によって、内部および外部プレート３２ａ，３４ａの間に、回転可能に担持されている。
背もたれサポート回転軸５０は、ディスクエンド５２と、鍵付き円柱部分５４と、ベアリング表面５８を有する第１円柱部分５６と、第２円柱部分６０とを備えている。
背もたれサポート回転軸５０は、内部プレート３２ａの鍵付き開口部６６と、第１および第２ハウジングプレート３８ａ，３８ｂの回転軸開口部４０ｂ，４０ｃと、ロッキングプレート４８６の回転軸開口部４０ａと、外部プレート３４ａの回転軸開口部６８ａとに挿入されている。
鍵付き円柱部分５４は、背もたれサポート回転軸５０を固定して、内部および外部プレート３２ａ，３４ａに対して相対的に回転しないように、内部プレート３２ａの鍵付き開口部６６ａと位置合わせがなされている。
第１円柱部分５６は、ロッキングプレート４８６の回転軸開口部４０ａと、第１および第２ハウジングプレート３８ａ，３８ｂの回転軸開口部４０ｂ，４０ｃと、一直線上に並ぶように、位置が合わされている。そのため、第２背もたれサポート３０は、ベアリング表面５８上にそって回転することができる。  
第２円柱伸張部６０は、外部プレート３４の回転軸開口部６８と一直線上に並ぶように、位置が合わされている。
第２リクライニング機構１８は、歯止め１００と、リクライニングカム１０２ａと、主回転軸１０４ａと、作動レバー１１４ａとを備えている。  
歯止め１００は、第１および第２伸張部１１６，１１８と、取付開口部１２０とを備えている。
第１伸張部１１６は、第２背もたれサポート３０の歯４４ａと係合し、内部および外部プレート３２ａ，３４ａに相対的な、背もたれサポート３０の複数の回転位置（すなわち、リクライニング位置）を決定する複数の歯１１２と、リクライニングカム１０２ａと相互作用する、係合表面１２４とを備えている。なお、これに関しては、後に詳細な説明を行う。
第２伸張部１１８は、係合表面１２６を備えている。通常は、係合表面１２４と係合表面１２６との間に、カム収納部１２８が設けられるように、係合表面１２４と向かい合わせに、係合表面１２６が備えられる。
【００５０】
歯止め１００は、回転軸１３０によって、内部および外部プレート３２ａ，３４ａの間に、回転可能に担時されている。また、回転軸１３０は、係合表面１３４を有しており、第１および第２円柱部分１３６，１３８に両端を挟まれた、中央円柱部分１３２を備えている。
中央円柱部分１３２は、歯止め１００が係合表面１３４上を回転しないようにする一方で、第１および第２円柱部分１３６，１３８が、開口部１４０を介して、内部および外部プレート３２ａ，３４ａへと回転可能に取り付けられるように、取付開口部１２０へと挿入されている。
歯止め１００と取付開口部１２０の間の相対的な回転は、図５ｂに示されている、スプライン連結部材１３５によって達成される。
なお、ここではスプライン連結部材１３５を用いているが、溶接などの、歯止め１００と回転軸１３０との相対的な回転を防止する、その他の適当な手段を用いることも予測され得ることであり、そのような手段を用いたものも、本発明の範囲内に含まれるものであると見なされるべきである。
【００５１】
リクライニングカム１０２ａは、伸張部１４２ａと、当該カムを貫通するように形成された、鍵付き取付開口部１４６ａとを備える、ほぼ平面的な部材である。
伸張部１４２ａは、歯止め１００の係合表面１２４，１２６と相互作用する、作用表面１４８ａを備えている。
リクライニングカム１０２ａは、主回転軸１０４の周囲を回転できるように、内部および外部プレート３２ａ，３４ａの間に、担持されている。
【００５２】
主回転軸１０４ａは、ベアリング表面１５７ａ，１５９ａを有する、第１および第２円柱部分１５６ａ，１５８ａに側面を挟まれた、中央鍵付き部分１５２ａと、第３円柱部分１６１ａから伸びた、第３鍵付き部分１６０ａとを備えている。
第１円柱部分１５６ａは、内部プレート３２ａの取付開口部１６２に挿入されており、第２円柱部分１５８ａは、外部プレート３４ａの取付開口部１６４に挿入されている。その結果、主回転軸１０４ａは、内部および外部プレート３２ａ，３４ａに対して相対的に、第１および第２ベアリング表面１５７ａ，１６１ａ上を回転することができる。
中央円柱部分１５２ａは、リクライニングカム１０２の取付開口部１４６ａへと挿入されており、その結果、リクライニングカム１０２ａは、ハウジングプレート３２ａ，３４ａに対して相対的に、回転することができる。
具体的には、リクライニングカム１０２ａの鍵付き取付開口部１４６ａに、主回転軸１０４ａの中央鍵付き部分１５２ａが挿入されて、これら両者部材間の、相対的な回転が防止される。
【００５３】
第３円柱部分１６１ａは、第２円柱部分１５８と隣接して配置されており、通常は、外部プレート３４ａの取付開口部１６４を通過して伸びている。
第３鍵付き部分１６０ａは、第３円柱部分１６１ａと隣接して配置されており、通常は、外部プレート３４ａの外側表面から遠ざかるように伸びている。
第３円柱部分１６１ａと第３鍵付き部分１６０ａとは、作動レバーと相互作用するように、通常は当該部分１６０ａ，１６１ａを通って伸びているスロット１６３を、さらに備えている。なお、これに関して、以下に詳細な説明を行う。
【００５４】
作動レバー１１４ａは、通常、レバーアーム２１０ａと、鍵付き開口部２１２ａとを備える平面部分を有している。
レバーアーム２１０ａは、その第１端にケーブル取付開口部２１５を備えており、その第２端にスロット２１７を備えている。
当該ケーブル取付開口部には、第１リクライニング機構１６と相互接続できるように、ケーブル４９８が接続されている。
具体的には、ケーブル４９８は、リクライニングカム１０２または作動レバー１１４ａのいずれか一方が回転されると、他方もまた回転されるように、第２リクライニング機構１８の作動レバー１１４ａと、第１リクライニング機構１６のリクライニングカム１０２とを相互接続している。
一実施形態においては、手動で作動レバー１１４ａを操作できるように、ハンドル５２６を備えたスロット２１７が用いられている。なお、これに関しては、後に詳細な説明を行う。
鍵付き開口部２１２ａには、作動レバー１１４ａと共に主回転軸１０４ａが回転するように、主回転軸１０４ａの第３鍵付き部分１６０ａが挿入されている。
【００５５】
動作レバー１１４ａは、コイルバネ２４０によって、回転できるように、中立位置へと偏倚されている。
コイルバネ２４０は、中心平板２４２と、外側に向かって伸びる伸張アーム２４４とを備えている。
中心平板２４２は、第３円柱部分１６１ａおよび第３鍵付き部分１６０ａのスロット２１７に挿入されており、伸張アーム２４４は、外部プレート３４ａの固定点２４６と係合している。
作動レバー１１４ａが中立位置から回転すると、コイルバネ２４０は作動レバー１１４ａを中立位置に戻すように偏倚する。
【００５６】
さらに、内部および外部プレート３２ａ，３４ａの間に間隔をとるために、スペーサー２４８が備えられる。
スペーサー２４８は、中央円柱部分２５０と、側部円柱部分２５２とを備えている。
側部円柱部分２５２は、内部および外部プレート３２，３４の間にスペーサー２４８が担持されるように、内部および外部プレート３２，３４の開口部２５４へと挿入される。
内部および外部プレート３２ａ，３４ａの間隔は、中央円柱部分２５０の横幅によって決定される。
【００５７】
第２ＲＦＫ半部分１４は、さらに、フロアーラッチ機構２０，２２のいずれかが、または、ニーリング機構２４，２６のいずれかが、適切に固定されていない場合に、第２背もたれサポート３０が、使用位置（状態）または立ち上がり位置（状態）になることを防止するために、連結プレート４６９を有する、第２連結アッセンブリ５００を備えている。
フロアーラッチ機構２０，２２は、ストライカー３５３がしっかりと固定されている時に、固定位置（状態）にあると見なされる。一方、ニーリング機構２４，２６は、ロッキングパール３７６が横断部材３７４としっかりと係合している時に、固定位置（状態）にあると見なされる。
【００５８】
連結プレート４６９は、回転軸１３０によって、回転可能に、外部プレート３４ａの外側表面に隣接して担持されている。また、当該連結プレート４６９は、背もたれサポート３０と選択的に係合する、連結支柱４７２を備えている。
線バネ４７６は、連結プレート４６９に偏倚力を加えるように、当該連結プレート４６９の周囲に配置されている。
このようにして、連結支柱４７２は、背もたれサポート３０と係合する方向へと偏倚されている。
一方、第２連結ケーブル４７９は、連結プレート４６９と、第２ニーリング機構２６とを、動作可能に相互接続している。
具体的には、第２連結ケーブル４７９は、その第１端が、連結プレート４６９のケーブル開口部５０２へと接続されており、その第２端が、第２ニーリング機構２６に接続されている。
第２連結ケーブル４７９に張力が加えられると、連結プレート４６９が回転し、その結果、第２背もたれサポートを動かすことが可能になる。
【００５９】
以下にその詳細が説明されているが、ニーリング機構２４，２６の両方が適切に係合している時、第２連結ケーブル４７９上に張力が存在する。従って、連結プレート２６９がバネ４７６の偏倚に反発して引っ張られると、背もたれサポート３０は、前方折り畳み位置（状態）から、使用位置（状態）または立ち上がり位置（状態）へと戻ることが可能になる。
一方で、ニーリング機構２４，２６のいずれかが適切に固定されていない場合、第２連結ケーブル４７９は緩んだ状態である。従って、線バネ４７６によって、連結プレート２６９は、背もたれサポート３０と係合するように偏倚される。
このような場合、背もたれサポート３０を前方折り畳み位置（状態）から戻す回転によって、連結支柱４７２は連結ノッチ４６ａと係合する。これにより、背もたれサポート３０が、使用位置（状態）または立ち上がり位置（状態）へと戻ることが防止される。
【００６０】
なお、ここでは、第１フロアーラッチ機構２０と動作可能に相互接続された第１連結部品４６８と、第２ニーリング機構２４と動作可能に相互接続された第２連結部品５００とが開示されているが、もう１つの方法として、第１連結部品４６８が、第２フロアーラッチ機構２２と動作可能に相互接続されていてもよく、また、第２連結部品５００が、第１ニーリング機構２４と動作可能に相互接続されていてもよい。従って、そのようなものも、本発明の範囲内に含まれるものであると見なされるべきである。
さらに、第１連結部品４６８は、第１または第２ニーリング機構２４，２６のいずれかと動作可能に接続されていてもよく、第２連結部品５００は、第１または第２フロアーラッチ機構２０，２２のいずれかと動作可能に接続されていてもよい。従って、そのようなものも、本発明の範囲内に含まれるものであると見なされるべきである。
【００６１】
第２ＲＦＫ半部分１４は、さらに、第２フロアーラッチ機構２２と、第２ニーリング機構２６とを備えている。
第２フロアーラッチ機構２２および第２ニーリング機構２６は、それぞれ、前述の第１フロアーラッチ機構２０および第１ニーリング機構２４と、事実上、同一のものである。
そこで先の場合と同様に、以下の記述および図表中で、類似した部材を特定する際に、類似した参照番号を用いている。なお、変更が加えられた部材を特定する際には、文字の拡張子を含む、類似した参照番号を用いている。
【００６２】
第１および第２フロアーラッチ機構２０，２２は、フロアーラッチ機構のいずれか一方が固定または解放された時に、他方のフロアーラッチ機構も固定または解放されるように、ケーブル２７２によって、お互いに動作可能に相互接続されている。
同様に、第１および第２リクライニング機構１６，１８は、リクライニング機構のいずれか一方が解放されると、他方のリクライニング機構も解放され、その結果、第１および第２背もたれサポート２８，３０を回転させて位置を調節できるように、ケーブル４９８によって、お互いに動作可能に相互接続されている。
【００６３】
第１および第２ニーリング機構のいずれか一方が固定または解放されたときに、他方のニーリング機構も固定または解放されるように、当該第１および第２ニーリング機構２４，２６を相互接続する、もう一つのケーブル５０４が提供される。
具体的には、ケーブル５０４の第１端は、作動レバー３８０のケーブル取付開口部４２６において、第１ニーリング機構２４と接続されている。また、ケーブル５０４の第２端も同様に、第２ニーリング機構２６のケーブル取付開口部４２６に接続されている。
どちらか一方の作動レバー３８０が回転すると、それと同時にケーブル５０４に張力が加えられ、その後、他方の作動レバー３８０が回転し、ニーリング機構を横断部材３７４から解放する。
一実施形態において、図１５〜１７に最もよく示されているように、ＲＦＫ１０は、背もたれ５０６と、支持構造５０８と、シート底部５１０とを備える、乗物のシートアッセンブリ５０５に組み込まれる。
当該支持構造は、取り付けブラケット５１４によって乗物の構造５１２に固定して取り付けられた１対のストライカー３５３と、下部ブラケット３９４によって回転可能に担持されている前部補助部材４５８と、第１および第２フロアーラッチ機構２０，２２によって回転可能に担持されている後部補助部材４６１と、前部および後部補助部材４５８，４６１によって回転可能に担持されているシート底部補助ブラケット５１８と、を備えている。
【００６４】
シート底部５１０は、前部および後部補助部材４５８，４６１によって担持されている。
前部補助部材４５８は、下部ブラケット３９４の取付開口部４６７と、前部補助部材４５８の取付開口部４６５とをとおって、下部ブラケット３９４へと回転可能に取り付けられている。
具体的には、前部補助部材４５８の開口部４６５と、下部ブラケット３９４の開口部４６７とには、軸周囲を取り囲むカラー４６７を備える、回転軸４６６が挿入される。その結果、前部補助部材４５８は、カラー４６７の周囲を、下部ブラケット３９４に対して相対的に回転することができる。
【００６５】
後部補助部材４６１は、本質的に前部補助部材４５８に類似した部材であるために、以下の記述および図表中で、類似した部材を特定する際に、類似した参照番号を用いている。なお、変更が加えられた部材を特定する際には、文字の拡張子を含む、類似した参照番号を用いている。
後部補助部材４６１は、前面部４５９を備えており、また、一体型の側面補助部材４６０ａを備えている。
軸周囲を取り囲むカラー４６７を有する回転軸４６６が挿入される、第１対開口部４６２ａを、側面補助部材４６０ａは備えている。
後部補助部材４６１は、第１および第２フロアーラッチ機構２０，２２の取付開口部３６４へと、回転可能に取り付けられる。
取付開口部３６４には、後部補助部材４６１が、第１および第２フロアーラッチ機構２０，２２のハウジング２６４に対して相対的に、カラー４６７の周囲を回転できるように、軸周囲を取り囲むカラー４６７を有する、もう一つの回転軸４６６が挿入されている。
【００６６】
前部および後部補助部材４５８，４６１は、その第１端がシート底部補助ブラケット５１８によって、その第２端がハウジング４６２によって、回転可能に担持されている。
シート底部補助ブラケット５１８は、側面補助部材５２０，５２２を備えている、細長い部材である。また、当該側面補助部材５２０，５２２は、それらを貫通するように形成された、第１および第２取付開口部５２４，５２６を備えている。
シート底部補助ブラケット５１８は、その第１取付開口部５２４が、前部補助部材４５８の取付開口部４６２と直線上に並ぶように、前部補助部材４５８の側面補助部材４６０へとはめ込まれており、そして、もうひとつの回転軸４６６によって、回転可能に取り付けられている。
回転軸４６６も同様に、軸カラー４６７を備えており、当該カラー上を、前部補助部材４５８と、シート底部補助ブラケット５１８とが回転する。
【００６７】
ハウジング４６２は、前述のように、一方の端が、後部補助ブラケット４６１と回転可能に接続されており、他方の端が、下部ブラケット３９４と回転可能に接続されている。
取付開口部３６６には、部ブラケット３９４の取付開口部３９５を介して、ハウジング４６２を回転可能に下部ブラケット３９４に取り付けるために、軸カラー４６７を有する、もう一つの回転軸４６６が挿入されている。
その結果、ハウジング４６２は、下部ブラケット３９４に対して相対的に、カラー４６７の周囲を回転することができる。
このように、前部補助部材４５８が、取付開口部３９５において、下部ブラケット３９４により、回転可能に担持されているために、ハウジング４６２は、回転可能に、前部補助部材４５８へと接続されている。
【００６８】
図８〜１７を参考にして、ＲＦＫ１０の動作を詳細に説明する。
ＲＦＫ１０は、座席底部５１０に対した背もたれ５０６の屈曲動作（ａｒｔｉｃｕｌａｔｉｏｎ）と、シートアッセンブリ５０５の前方向への押し上げ回転を含む座席底部５１０に対する背もたれ５０６の屈曲動作と、乗物の構造５１２に対する、シートアッセンブリ５０５のニーリング動作とを含む、３つの動作モードを提供するものである。
【００６９】
第１動作モードは、シート底部５１０に対する背もたれ５０６の屈曲動作が含まれており、当該動作モードは、図８〜１２に最もよく示されている。
一実施形態においては、第２リクライニング機構１８の作動レバー１１４ａに、ハンドル５２６が固定して取り付けられている、シートアッセンブリ５０５が提供される。
シート底部５１０に対して背もたれ５０６を屈曲させるには、作動レバー１１４ａが回転するように、ハンドル５２６に力が加えられる。
作動レバー１１４ａが十分に回転すると、主回転軸１０４ａが回転し、続いてリクライニングカム１０２ａが回転する。
リクライニングカム１０２ａが回転すると、作用表面１４８ａが、歯止め１００の第１伸張部から解放される。
リクライニングカム１０２ａからの偏倚がなくなると、歯止め１００は、第１回転方向、または、図３の視点における反時計回り（ＣＣＷ）へと回転する。
歯止め１００が十分に回転すると、歯止め１００の歯１２２は、第２背もたれサポート３０の歯４４を解放する。
このようにして、背もたれサポート３０、次いで背もたれ５０６が、自由に回転できるようになる。
【００７０】
リクライニングカム１０２ａが回転するとき、ケーブル４９８に張力が加わり、その後、第１ＲＦＫ半部分１２のリクライニングカム１０２の第２伸張部１４４に力が加えられる。
第２伸張部１４４に十分な力が加えられると、リクライニングカム１０２は、主回転軸１０４の周囲を回転する。
リクライニングカム１０２が十分に回転すると、第１伸張部１４２が歯止め１００を解放するために、歯止め１００が第２回転方向、または、図８の視点における時計回り方向（ＣＷ）へと回転することが可能になる。
リクライニングカム１０２がさらに回転すると、歯止めをさらに第２方向に回転させるように、第１伸張部１４２が歯止め１００と係合する。
歯止め１００が第１方向に十分に一旦回転すると、歯止め１００の歯１２２が、第１背もたれサポート２８の歯４４から離れるために、第１背もたれサポート２８を、内部および外部プレート３２，３４に対して相対的に回転させることが可能になる。
【００７１】
第１および第２リクライニング機構１６，１８の両方が、それぞれ、第１および第２背もたれサポート２８，２０から解放されると、コイルバネ７０は、第１背もたれサポート２８を第２回転方向、または図８の視点での時計回り方向に、回転させることが可能となる。
第１および第２背もたれサポート２８，３０は、背もたれ５０６に取り付けられているために、第１および第２背もたれサポート２８，３０のいずれか一方が回転すると、それとともに他方も回転する。
前述のように、前方または時計回り方向へと第１背もたれサポート２８が回転すると、次いで、第２背もたれサポート３０および背もたれ５０６が、シート底部５１０に対して相対的に回転する。
第１背もたれサポート２８の回転は、支柱７６と、内部プレート３２の第１作用表面７９との相互作用によって制限される。
具体的には、背もたれ５０６が十分に回転すると、第１背もたれサポート２８が、内部および外部プレート３２，３４に対して、さらに前方に移動するのを防止するために、柱７６が第１作用表面７９と係合する。
このようにして、第１背および第２背もたれサポート２８，３０の回転動作範囲が決定される。
【００７２】
背もたれ５０６を使用位置（状態）に戻すために、背もたれ５０６を、第１回転方向（ＣＣＷ）に回転するように偏倚させている、コイルバネ７０に反発する力が、背もたれ５０６に加えられる。
背もたれ５０６が十分に回転すると、第１リクライニング機構１２の歯止め１００は、第１背もたれサポート２８の歯４４と再係合し、その結果、背もたれサポート２８が、シート底部５１０に対して、最も前方にある固定位置へと戻される。
具体的には、コイルバネ１６６が、第１背もたれサポート２８と係合するように、歯止め１００を偏倚し、さらに、以下にその詳細が説明されるように、コイルバネ１６６と、リクライニングカム１０２の第１伸張部１４２とによって、歯止め１００は、第１背もたれサポート２８と係合した状態のままに保たれる。
同時に、コイルバネ２４０の偏倚力によって、第２リクライニング機構１４の歯止め１００が、第２背もたれサポート３０の歯４４ａと再係合する。
具体的には、作動レバー１１４ａが解放されると、コイルバネ２４０は、第２回転方向、または図３の視点におけるＣＷ方向へと、作動レバー１１４ａを偏倚する。その結果、作動レバー１１４ａは、主回転軸１０４ａを回転させる。
【００７３】
主回転軸１０４ａが回転すると、リクライニングカム１０２ａが第２回転方向またはＣＷへと回転する。その結果、リクライニングカム１０２ａは、歯止め１００の第２伸張部１１６を解放し、第１伸張部１１８と係合する。
リクライニングカム１０２ａの作用表面１４８ａが、歯止め１００の係合表面１２４ａと接触すると、当該歯止めは、第１回転方向またはＣＣＷ方向へと回転される。
このようにして、歯止め１００は、第２背もたれサポート３０と係合するように偏倚される。
背もたれ５０６が十分に回転すると、第２リクライニング機構１４の歯止め１００が、第２背もたれサポート３０の歯４４ａと再係合し、その結果、背もたれサポート３０が、シート底部５１０に対して最も前方にある固定位置へと戻される。
【００７４】
背もたれ５０６が立ち上がり位置（状態）または使用位置（状態）に戻されると、コイルバネ２４０は、作動レバー１１４ａを第２回転方向またはＣＷ方向に偏倚する。
作動レバー１１４ａがこのように動作すると、それとともに、ケーブル４９８が移動する。
ケーブル４９８が移動すると、第１リクライニング機構１６のリクライニングカム１０２が、第１回転方向（ＣＣＷ）に回転し、それに次いで、第１伸張部１４２が、歯止めの第１伸張部１１６と係合する。
このようにして、リクライニングカム１０２の第１伸張部１４２は、第１背もたれサポート２８と係合するまで、歯止め１００をＣＣＷ方向に回転させる。
一旦、歯止め１００が第１背もたれサポート２８と係合すると、第１伸張部１４２は、歯止め１００が第１背もたれサポート２８と係合した状態のままに保つ役割を果たす。
【００７５】
さらに、シート底部５１０に対して、背もたれ５０６の位置を調節するために、ハンドル５２６に、および、それと同時に背もたれ５０６に、再度力が加えられる。その結果、背もたれ５０６が、最も前方の立ち上がり位置（状態）から、リクライニングまたは移動される。
ハンドル５２６が作動レバー１１４ａを回転させると、第１リクライニング機構１６の歯止め１００、および第２リクライニング機構１８の歯止め１００は、それぞれ、第１および第２背もたれサポート２８，３０から解放され、前述のように、背もたれ５０６が、コイルバネ７０の偏倚に反発して、回転することができるようになる。
一旦、背もたれ５０６が十分に回転して、シート底部５１０に対して望ましい鍵度をとると、ハンドル５２６が解放されて、第１リクライニング機構１６の歯止め１００、および第２リクライニング機構１８の歯止め１００が、前述の望ましい位置に、背もたれ５０６を固定する。
【００７６】
第２動作モードには、シートアッセンブリ５０５の前方への押し上げ回転を含む、シート底部５１０に対する背もたれ５０６の屈曲動作が含まれている。
一実施形態においては、図１５〜１７に最もよく示されているように、ＲＦＫアッセンブリ１０は、シート５０５へと組み込まれている。
シート底部５１０に対して相対的に、背もたれ５０６を屈曲させるに、作動レバー１１４のレバーアーム２１０を、図８の視点における第２回転方向(CCW)に回転するように偏倚させて、リクライニングカム１０２と、ラッチカム１０８とに係合させている、コイルバネ２４０に反発する力が、作動レバー１１４に加えられる。
具体的には、作動レバー１１４が十分に回転すると、レバーアーム２１０が、ピン１８０の第２円柱部分１８４と接触する。その結果、ラッチカム１０８が第１回転方向（ＣＣＷ）へと回転し、これに伴って、主回転軸１０４が回転する。
【００７７】
ピン１８０が第１回転方向（ＣＣＷ）へと回転すると、ついには、ピン１８０の第２円柱部分１８４が、リクライニングカム１０２の第２伸張部１４４と係合し、それに伴って、リクライニングカム１０２が回転する。
前述のように、第１動作モードにおいて、リクライニングカム１０２が回転すると、歯止め１００が第１背もたれサポート２８から解放され、背もたれ５０６が、シート底部５１０に対して相対的に回転することができるようになる。
さらに、リクライニングカム１０２が回転すると、ケーブル４９８に張力が加えられ、その結果、作動レバー１１４ａが回転し、さらに、第２リクライニング機構１８の歯止め１００が、第２背もたれサポート３０から解放される。
第１および第２背もたれサポート２８，２０が、それぞれ、リクライニング機構１６，１８から解放された状態において、背もたれ５０６は、コイルバネ７０の偏倚力を受けて、第２回転方向（ＣＷ）へと、自由に回転することができる。
【００７８】
背もたれ５０６が解放されて、回転可能になったときに、作動レバー１１４が連続的に回転すると、主回転軸１０４がさらに回転する。
主回転軸が回転すると、それに伴って、ラッチカム１０８、制動プレート１０６、および鍵１１２が回転する。
ラッチカム１０８がさらに回転すると、主回転軸１０４が、制動プレート１０６を回転させる。その結果、図８に最もよく示されているように、制動プレート１０６が動作位置（状態）へと移動し、第１背もたれサポート２８と相互作用を行うことが可能となる。
より具体的には、主回転軸１０４が、制動プレート１０６を十分に回転させると、第１背もたれサポート２８が前方（ＣＷ）へと回転して、図９に示されているように、扇形プレート１８４が制動プレートと係合する。
【００７９】
主回転軸１０４が、制動プレート１０６を動作位置（状態）へと回転させると、コイルバネ７０の偏倚力の影響により、背もたれ５０６が前方（ＣＷ）へと回転するために、制動プレート１０６のピン２０６は、扇形プレート１８４の第１作用表面９０と係合する。
背もたれ５０６が連続的に回転すると、ピン２０６は、図９に示されているように、第１作用表面９０から、弓形表面９４上へと移動する。
ピン２０６が、弓形表面９４に沿って、通常は、第１作用表面９０から第２作用表面９２まで移動すると、制動プレート１０６は、さらに第１回転方向（ＣＣＷ）へと回転する。
一旦、ピン２０６が、第１作用表面９０から、弓形表面９４を横切って完全に移動してしまうと、その後、ピン２０６はカム表面８８から完全に解放されて、図１０〜１２に最もよく示されているように、第１背もたれサポート２８は、前方へと回転し続ける。
【００８０】
制動プレート１０６の回転により、主回転軸１０４がさらに回転されると、図９に最もよく示されているように、鍵１１２がラッチ連結部材１１０のツメ１９４と係合し、ラッチ連結部材１１０が回転する。
ラッチ連結部材１１０が回転すると、ケーブル４７８に張力が加えられ、その結果、第１フロアーラッチ機構２０の作動レバー２５９が回転し、第１フロアーラッチ機構２０がストライカー３５３から解放される。
具体的には、作動レバー２５９が回転すると、作動カム２５８がコイルバネ３０４の偏倚に反発して回転し、ラッチカム２６０と係合する。
作動カム２５８の伸張部２９８が第１回転方向（ＣＣＷ）に回転すると、図１３ａおよび図１３ｂに最もよく示されているように、伸張部２９８の係合表面３０２が、ラッチカム２６０の第２伸張部３１６と係合し、ラッチカム２６０を第２回転方向またはＣＷ方向に回転させる。
作動カム２５８が回転し続けると、それに次いで、ラッチカム２６０は、ラッチカム２６０の第１伸張部３１４を、ラッチ２６２の作用表面３３８から解放させる。
【００８１】
この時点において、ラッチカム２６０の制限を受けないために、ラッチ２６２は、自由に回転できる。従って、ラッチ２６２は、ラッチバネ３４２によって、第１回転方向（ＣＣＷ）へと回転させられる。
ラッチ２６２が十分に回転すると、ラッチ２６２はストライカー２５３から解放される。その結果、第１フロアーラッチ機構２０が、乗物の構造５１２から解放される。
【００８２】
シートアッセンブリ５０５を前方へと完全に押し上げ回転する（dump）には、両方のフロアーラッチ機構が、それぞれ対応するストライカー３５３から解放されていなければならない。
第２フロアーラッチ機構２２は、第１リクライニング機構１６と直接的には相互作用しないという点を除いて、第１フロアーラッチ機構２０と同じように動作する。
第２フロアーラッチ機構２２は、第１フロアーラッチ機構２０の作動レバー２５９と、第２フロアーラッチ機構２２の作動レバー２５９とを相互接続する、ケーブル２７２を通じて、その動作を開始する。
具体的には、第１フロアーラッチ機構２０の作動レバー２５９が回転すると、ケーブル２７２に張力が加えられ、第２フロアーラッチ機構２２の作動レバー２５９が回転する。
このように、第１および第２フロアーラッチ機構２０，２２は、通常、図１３ｂに示されるように、それぞれが対応したストライカー３５３から同時に解放される。その結果、前部補助部材４５８が、下部ブラケット３９４に対して相対的に回転するように、回転軸１６６の周囲を回転させて、シートアッセンブリ５０５を、前方へと押し上げ回転することができる。
この時点で、背もたれ５０６は完全に前方へと回転されており、シートアッセンブリ５０５は、完全に前方へと押し上げ回転された状態にある。
【００８３】
シートを使用位置（状態）に戻すためには、通常、前部補助部材４５８が、下部ブラケット３９４に対して相対的に、回転軸１６６の周囲を、第１回転方向（図１６の視点におけるＣＣＷ）へと回転するように、シート５０５に力が加えられる。
シートアッセンブリ５０５が定位置（position）へと回転すると、第１および第２フロアーラッチ機構２０，２２を、ストライカー３５３と係合させて、乗物の構造５１２へと再固定することができる。
ラッチプレート３５４は、ラッチプレート５１２の作用表面３５６がストライカー３５３を受容し、ラッチ２６２を第２回転方向（ＣＷ）へと回転させるような位置に配置されている。
このように、ストライカー収納部３４０は、ストライカー３５３を受容し、図１３ａに示されるように、ラッチ２６２を、ラッチバネ３４２の偏倚に反発させて、さらにＣＣＷ方向へと回転させる。
【００８４】
図１３ａについて詳しく説明する。ラッチ２６２は、ラッチカム２６０と係合して、再び、固定位置に保たれている。
具体的には、ラッチカム２６０の係合表面３１８は、コイルバネ３０４の偏倚力によって、ラッチ２６２と係合している。
具体的には、コイルバネ３０４は、作動カム５２８を第２回転方向へと偏倚させている。その結果、作動カム２５８の第２伸張部２９９が、ラッチカム２６０の第２伸張部３１６と接触し、従って、ラッチカム２６０を第１回転方向（ＣＣＷ）へと回転させる。
一旦、ラッチカム２６０が十分に回転すると、作動カム２５８の第２伸張部２９９が、ラッチカム２６０の第２伸張部３１６と接触し、その結果、ラッチカム２６０の係合表面３１８は、ラッチ２６２の係合表面３３８と接触するする位置へと回転する。
一旦、ラッチ２６２の係合表面３３８が、ラッチカム２６０の係合表面３１８と接触すると、ラッチ機構は固定位置になる。
一旦、フロアーラッチ機構２０，２２の両方がしっかりとストライカー３５３へと固定されると、第１および第２フロアーラッチ機構２０，２２を相互接続するケーブル２７２は、張力から解放されるが、第１フロアーラッチ機構２０と、第１リクライニング機構１６とを相互接続する、ケーブル４７８に加わる張力は増加する。
従って、ラッチ連結部材１１０、それに次いで主回転軸１０４が、バネ４７６の偏倚力に反発して回転される。
このように、ラッチ連結部材１１０は、連結部材４８２を回転させる。その結果、連結プレート２６９が、バネ４７６の偏倚に反発して引っ張られ、第１動作モードの説明および図１２に示されているように、背もたれサポート２８が、前方折り畳み位置（状態）から、使用位置（状態）または立ち上がり位置（状態）へと戻ることが可能となる。
一方で、フロアーラッチ機構２０，２４のいずれかが適切に固定されていない場合、第１連結ケーブル４７８は緩んだ状態である。従って、線バネ４７６によって、連結プレート２６９は、背もたれサポート２８と係合するように偏倚される。
このような場合、背もたれサポート２８を前方折り畳み位置（状態）から戻す回転は、連結支柱４７２を連結ノッチ４６と係合させるために、図１１に示されているように、使用位置（状態）または立ち上がり位置（状態）へと、背もたれサポート２８を戻すことが防止される。
【００８５】
第３動作モードには、乗物の構造５１２に対して相対的な、シートアッセンブリ５０５のニーリング動作が含まれている。
一実施形態においては、図１５〜１７に最もよく示されているように、ＲＦＫアッセンブリ１０は、シートアッセンブリ５０５に組み込まれている。
ニーリング機能は、乗物のシートアッセンブリ５０５を使用状態に保ったまま、シートアッセンブリ５０５が前方へと回転移動することを可能にしている。
具体的には、シート補助構造５０８の前部補助部材４５８が、下部ブラケット３９４の周囲、および、シート底部補助ブラケット５１８の周囲を回転する。
さらに、後部補助部材３６１は、第１および第２フロアーラッチ機構２０，２２のハウジング２６４の周囲、および、シート底部補助ブラケットの周囲を回転する。
このようにして、前部および後部補助部材４５８，３６１が前方へと回転すると、図１７に最もよく示されているように、シート底部補助ブラケット５１８は、長手方向に沿って前方へと移動するが、下部板３９４およびフロアーラッチハウジング４６２は、乗物の構造５１２に固定されたままに保たれる。
【００８６】
前述のように、横断部材３７４は、回転軸１６６によって、前部補助部材４５８およびシート底部補助ブラケット５１８の接合点に、回転可能に担持されている。
このように、横断部材３７４が固定位置（状態）にある場合、当該横断部材３７４は、ハウジング３８２と相対的に、スライドすることができず、また、図１４ａに最もよく示されており、既に説明されたように、シート補助構造５０８の回転動作も防止される。
シート補助構造５０８が、選択的な回転動作を行うためには、図１４ｂに示されているように、横断部材３７４が、ハウジング３８２と相対的にスライドすることができるように、第１および第２ニーリング機構２４，２６が、解放位置（状態）にある必要がある。
【００８７】
第１および第２ニーリング機構２４，２６を解放するために、第２ニーリング機構２６の外部ハンドル５２８に力が加えられ、その結果、作動レバー３８０が回転される。
作動レバー３８０が第１回転方向（ＣＣＷ）へと回転すると、作動レバー３８０はバネ４４６を圧縮する。その結果、ソケット４２８内部で、ボール４４８が回転する。
一旦、作動レバー３８０が十分に回転すると、伸張部４２２の付け根部分が、横断部材３７４から解放させる。
作動レバー３８０が横断部材３７４を解放すると、横断部材３７４の歯３９０は、ロッキングパール３７６の歯４１４を解放する。
前述のように、第１ニーリング機構２４の作動レバー３８０は、ケーブル５０４によって、第２ニーリング機構２６の作動レバー２６へと動作可能に接続されている。従って、第２ニーリング機構の作動レバー２６と同時に、第１ニーリング機構の作動レバー３８０も動作する。
【００８８】
図１７に最もよく示されているように、第１および第２ニーリング機構２４，２６の両方の横断部材３７４が、それぞれが対応するハウジング３８２内部を自由にスライドすることができる状態において、シート補助構造５０８は、自由に前方へと回転することができる。
シート補助構造５０８を、前方へと回転させるために、通常、シートアッセンブリ５０５に力が加えられる。そして、一旦第１および第２ニーリング機構２４，２６が解放位置（状態）になると、シートアッセンブリを前方へと移動させることができる。
一旦、シートアッセンブリ５０５が前方へと移動し始めると、横断部材３７４は、下部ブラケット３９４において回転軸１６６の周囲を回転し、ハウジング３８２内部をスライドする。
この段階で、シートアッセンブリ５０５およびシート補助構造５０８が、前方および下方へと回転しするにつれて、両方の横断部材３７４は、前方および下方へと移動していく。
シートアッセンブリ５０５の前方への移動は、図１７に示されているように、前部補助部材４５８が下部ブラケット３９４と接触することによって、一旦、制限される。
【００８９】
第１および第２ニーリング機構２４，２６を固定位置（状態）へと戻すに、シートアッセンブリ５０５が後方へと移動して、立ち上がり位置（状態）に戻るように、シートアッセンブリ５０５に力が加えられる。
具体的には、シートアッセンブリ５０５が後方へと回転すると、横断部材３７４の歯３９０が、ロッキングパール３７６の歯４１４と再係合するまで、横断部材３７４が、ハウジング３８２内部をスライドする。
作動レバー３８０に加わっている、バネ４４６の偏倚力により、伸張部４２２の下部表面は、横断部材３７４を、ロッキングパール３７６との係合位置へと偏倚するように、スライド可能に横断部材３７４と係合している。
一旦、シートアッセンブリ５０５が後方へと十分に回転すると、横断部材３７４の歯３９０は、ロッキングパール３７６の歯４１４と係合して、その結果、ニーリング機構は固定位置（状態）へと戻る。
【００９０】
一旦、ニーリング機構２４，２６の両方が、しっかりと横断部材３７４へと固定されると、第１および第２ニーリング機構２４，２６を相互接続するケーブル５０４は張力から解放されるが、一方で、第２ニーリング機構２６と、第２リクライニング機構１８とを相互接続するケーブル４７９に加わる張力は増加する。
その結果、連結プレート２９６が、バネ４７６の偏倚力に反発して回転される。  
このように、ケーブル４７９の張力により、連結プレート２６９がバネ４７６の偏倚に反発して引っ張られ、そして、第１動作モードの説明で述べられたように、背もたれサポート３０が、前方折り畳み位置（状態）から、使用位置（状態）または立ち上がり位置（状態）へと戻ることが可能になる。
一方で、ニーリング機構２４，２６のいずれかが適切に固定されていない場合、第２連結ケーブル４７９は緩んだ状態である。従って、線バネ４７６によって、連結プレート２６９は、背もたれサポート３０と係合するように偏倚される。
このような場合、背もたれサポート３０を前方折り畳み位置（状態）から戻す回転は、連結支柱４７２を連結ノッチ４６ａと係合させるために、背もたれサポート３０が、使用位置（状態）または立ち上がり位置（状態）へと戻ることが防止される。
なお、背もたれ５０６が前方に回転されていても、またはそうでなくとも、第１および第２ニーリング機構２４，２６は動作可能であることに注意されたい。
【００９１】
図１８〜５０を参考に、本発明の第２の実施形態において、シートアッセンブリに用いられる、リクライニング，フロアーラッチ，ニーリング（ＲＦＫ）連携アッセンブリ６００が提供される。
当該ＲＦＫ６００は、第１モードにおいて、シートに対して、背もたれをリクライニングまたは前方に折り畳むことを可能にしている。また、第２モードにおいて、シートに対して、背もたれを前方に折り畳み、シートアッセンブリを前方に押し上げ回転（ｄｕｍｐｉｎｇ  ｆｏｒｗａｒｄ）することを可能にしている。また、第３モードにおいては、シートアッセンブリの、前方への屈曲、または、「ひざまずくこと（kneeling）」を可能にしている。
当該ＲＦＫ６００は、動作可能に相互接続された、インボードおよびアウトボード機構６０２，６０４を備えている。なお、インボードおよびアウトボード機構６０２，６０４は、それぞれ、第１，第２リクライニング機構６０６，６０８、第１，第２フロアラッチ機構６１０，６１２、および、第１，第２ニーリング機構６１６，６１８を備えている。
さらに当該部品６００は、上方に伸びている背もたれサポート６１８，６２０を備えており、当該背もたれサポートは、選択的な位置取り（ｐｏｓｉｔｉｏｎｉｎｇ）を行うために、リクライニング機構６０６，６０８と動作可能に相互接続されている。
図１８に示されており、後に詳しい説明を行うものであるが、フロアーラッチ機構６１０，６１２は、シートアッセンブリを固定するように、床の上に配置されている、１対のストライカー６２２と選択的に係合している。
ニーリング機構６１６，６１８は、シートを立ち上がり位置（状態）に固定するように、乗物の構造８３５上に担持されている、１対の床ブラケット８３２と選択的に係合している。これに関しては図１８〜２２に図示されており、また、後にその詳細を説明する
インボード機構６０２は、内部および外部プレート６２４，６２６を備えており、当該プレートから、第１リクライニング機構６０６が、動作可能に担時されている。
内部および外部プレート６２４，６２６の間に、背もたれサポート６１８が回転可能に担時されている。また、背もたれサポート６１８は、回転してその位置を合わせられるように、選択的にリクライニング機構６０６と係合している。
作動レバー６２８は、内部および外部プレート６２４，６２６によって、回転可能に担持されている。また、作動レバー６２８は、第１リクライニング機構６０６、ならびに、第１および第２フロアーラッチ機構６１０，６１２と、動作可能に係合している。
さらに、作動レバー６２８は、後にその詳細が説明されるが、第１リクライニング機構６０６を介して、アウトボード機構６０４の第２リクライニング機構６０８を動作させることができる。
【００９２】
第１背もたれサポート６１８は、ほぼ三角形のプレート６３０を備えており、この三角形のプレート６３０は、当該プレートを貫通している回転軸開口部６３２と、弓形端部６３４とを備えている。
弓形端部６３４の一部分には、複数の歯６３６と、連結ノッチ６３８とが備えられている。
また、背もたれフレーム（図示されず）を取り付けるために、補助開口部６４０が設けられている。
背もたれサポート６１８は、背もたれサポート回転軸６４２によって、内部および外部プレート６２４，６２６の間に、回転可能に担時されている。
背もたれサポート回転軸６４２は、ディスクエンド６４４と、鍵付き円柱部分６４６と、ベアリング表面６５０を有する第１円柱部分６４８と、第２円柱部分６５２と、直径方向ノッチ６５４を有する第３円柱部分６５４とを備えている。
背もたれサポート回転軸６４２は、外部プレート６２４の鍵付き開口部６５６、第１背もたれサポート６１８の回転軸開口部６３２、および、外部プレート６２６の回転軸開口部６５８へと挿入されている。
鍵付き円柱部分６４６は、背もたれサポート回転軸６２４を固定して、当該サポート回転軸が内部および外部プレート６２４，６２６に対して相対的に回転しないように、内部プレート６２４の鍵付き開口部６５６と位置が合わされている。
第１円柱部分６４８は、第１背もたれサポート６１８が、ベアリング表面６５０上を回転できるように、第１背もたれサポート６１８の回転軸開口部６３２と位置が合わされている。
第２円柱伸張部６５２は、その外部表面から伸びる、直径方向ノッチ６５４を備えている、外部プレート６２６の回転軸開口部６５８と一直線上に並ぶように、位置が合わされている。
【００９３】
第１背もたれサポート６１８は、コイルバネ６６０によって偏倚されている。当該コイルバネ６６０は、回転軸６４２の直径方向ノッチ６５４と係合する中心平板６６２と、また、取付開口部６６８を通り、第１背もたれサポート６１８から伸びている支柱６６６と係合する、外側に向かって伸びる伸張アーム６６４とを備えている。
支柱６６６は、第１円柱部分６７０と、第２円柱部分６７２と、三角形プレート６３０の取付開口部６６８に受容される、中央円柱部分６７４とを備えている。
第１円柱部分６７０は、バネ６６０の伸張アーム６６４と係合して、第１背もたれサポート６１８を、図３１の視点における時計回り方向（ＣＷ）に偏倚させる。一方で、第２円柱部分６７２は、外部プレート６２６と係合して、第１背もたれサポート６１８の動作範囲を決定する。なお、これらに関しては、以下に詳細な説明を行う。
【００９４】
第１背もたれサポート６１８は、さらに、第１リクライニング機構６０６および作動レバー６２８と相互作用するために、扇形プレート６７６を備えている。
扇形プレート６７６は、背もたれサポート回転軸６４２が回転可能に挿入される第１取付開口部６７８と、支柱６６６が挿入される第２取付開口部６８０と、制動６８４および弓形表面６８６を有するカム表面６８２とを備えている。
支柱６６６は、第１背もたれサポート板６３０と共に回転するように、扇形プレート６７６を動作可能に固定することができる。また、制動６８４および弓形表面６８６は、第１リクライニング機構６０６と選択的に係合して、作動レバー６２８を簡単に作動できるようにしている。なお、これらに関しては、以下に詳細な説明を行う。
【００９５】
第１背もたれサポート６１８が、内部および外部プレート６２４，６２６に対して相対的に回転すると、支柱６６６は、そのリクライニング動作中に、または、図３１の視点において反時計回り（ＣＣＷ）方向に回転中に、第１背もたれサポート６１８が、内部および外部プレート６２４，６２６に対して、さらに回転するのを防止するために、第１ストップ６８８において、内部および外部プレート６２４，６２６と接触することができる。
第１背もたれサポート６１８が前方へ回転中、または時計回り（ＣＷ）に回転中に、支柱６６６が第２ストップ６９０に接触し、第１背もたれサポート６１８が、内部および外部プレート６２４，６２６に対して、さらに前方に移動するのを防止することができる。
このようにして、第１背もたれサポート６１８の回転動作範囲が決定される。
【００９６】
特に、図２３〜３１を参考にしてみると、第１リクライニング機構６０６は、歯止め６９０と、リクライニングカム６９２と、移動カム６９４と、作動カム６９６と、カム連結部材６９８と、鍵７００と、第１および第２フロアーラッチカム７０２，７０４と、移動回転軸７０６とを備えていることが示されている。
歯止め６９０は、第１および第２伸張部７０８，７１０と、第１および第２取付開口部７１２，７１３とを備えている。
第１伸張部７０８は、複数の歯７１４と、係合表面７１６とを備えている。当該歯７１４は、第１背もたれサポート６１８の歯６３６と係合し、内部および外部プレート６２４，６２６に対する、背もたれサポート６１８の、複数の回転位置（すなわち、リクライニング位置）を決定するものである。また、当該係合表面７１６は、リクライニングカム６９２と相互作用するものである。なお、これらについては後に詳細な説明を行う。
第２伸張部７１０は、係合表面７１８を備えている。通常は、係合表面７１６と係合表面７１８との間に、カム収納部７２０が設けられるように、係合表面７１６と向かい合わせて、係合表面７１８が備えられる。
【００９７】
歯止め６９０は、図２８および図３０に最もよく示されているように、歯止め回転軸７２２によって、内部および外部プレート６２４，６２６の間に、回転可能に担持されている。
歯止め回転軸７２２は、中央円柱部分７２４と、フランジ部分７２６と、第１および第２円柱部分７２８とを備えている。
中央円柱部分７２４は、その回転に従って、歯止め６９０が回転するように、取付開口部７１２に挿入されている。
このように、フランジ部分７２６は、歯止め６９０の外部表面と接触しており、また、フランジ部分７２６は、中央円柱部分７２４と連携して、内部および外部プレート６２４，６２６の、両プレートの間隔の距離を決定する。
支柱６９０と、歯止め回転軸７２２とは、第１および第２円柱部分７２８，７３０によって、内部および外部プレート６２４，６２６の間に回転可能に担持されている。
具体的には、図２４に最もよく示されているように、第１および第２円柱部分７２８，７３０は、開口部７３２によって、内部および外部プレート６２４，６２６へと、回転可能に取り付けられている。
【００９８】
歯止め６９０は、さらに、それより伸びており、扇形プレート６７６と相互作用する、フィンガー７３４を備えている。
フィンガー７３４は、カム表面７３６と、取付フランジ７３８とを備えている。
取付フランジ７３６は、歯止め６９０の取付開口部７１３へと挿入されている。また、カム表面７３６は、通常、取付フランジ７３６から扇形プレート６７６に向かって伸びている。なお、これらに関しては、図２８および図３０に最もよく示されている。
【００９９】
リクライニングカム６９２は、中央取付開口部７４０と、第１伸張部７４２と、第２伸張部７４４と、係合レッグ７４６とを備えている。
中央取付開口部７４０には、主回転軸７４８の回転と共にリクライニングカム６９２が回転するように、主回転軸７４８が固定的に挿入されている。
第１伸張部７４２は係合表面７５０を備えている。これによって、歯止め６９０を固定位置（状態）または係合位置（状態）に固定するために、歯止め６９０の第１伸張部７０８と選択的かつ動作可能に係合することができる。さらに、歯止め６９０を解放位置へと回転させるために、歯止め６９０の第２伸張部７１０と選択的かつ動作可能に係合することができる。
【０１００】
第２伸張部７４４は、その末端に、バネ支柱７５４が挿入される取付開口部７５２を備えている。
バネ支柱７５４は、バネ７５８を動作可能に受容できる、係合表面７５６を有する、円柱状の部材である。
歯止め６９０の第１伸張部７０８と係合するように、リクライニングカム６９２を偏倚するために、バネ７５８は、バネ支柱７５４と係合している第１端７５９と、外部プレート６２６に形成された取付開口部７６２と係合している第２端７６１とを備えている。
このように、リクライニングカム６９２の係合表面７５０は、歯止め６９０の第１伸張部７０８と接触しており、従って、歯止め６９０は、第１背もたれサポート板６３０と係合し、固定位置（状態）に保たれる。
係合レッグ７４６は、通常、第１および第２伸張部７４２，７２２の間に配置されており、移動カム６９４と相互作用するように、リクライニングカム６９２の主表面７６０から盛り上がった状態に形成されている。
【０１０１】
移動カム６９４は、第１円柱部分７６６と、フランジ７６８と、鍵付き部分７７０とを備える回転軸７６４とによって、内部および外部プレート６２４，６２６の間に、回転可能に担持されている。
移動カム６９４は、取付開口部７７２と、係合表面７７６を有する伸張部７７４とを備えている。
取付開口部７７２には、移動カム６９４と回転軸７６４とが固定されて回転するように、回転軸７６４の第１円柱部分７６６が固定的に挿入されている。
第１伸張部７７４は、その係合表面７７６が、リクライニングカム６９２の係合レッグ７４６と向かい合うように、取付開口部７７２から伸びている。なお、これに関しては、図２８に最もよく示されており、さらに後に詳細な説明を行う。
【０１０２】
作動カム６９６は、鍵付き開口部７７８と、取付開口部７８０とを備えている。
主回転軸７４８の鍵付き円柱部分７８２は、作動カム６９６が主回転軸７４８と共に回転するように、鍵付き開口部７７８へと挿入されている。
取付開口部７８０には、以下に詳しく説明するが、移動カム６９４と相互作用を行う、作動支柱７８２が挿入されるように作られている。
【０１０３】
カム連結部材６９８は、第１端に形成されたスロット７８４と、第２端に形成された鍵付き取付開口部７８６とを備える、細長い連結部材である。
スロット７８４には、作動支柱７８２がスライド可能に挿入されており、その結果、作動支柱７８２は、スロット７８４の第１端７８８と、スロット７８４の第２端７９０との間を移動することができる。
鍵付き取付開口部７８６には、カム連結部材６９８が回転軸７６４と共に回転するように、合わせ面を係合させて、回転軸７６４の鍵付き円柱部分７７０が挿入されている。
【０１０４】
鍵７００は、その第１端に鍵付き取付開口部７９２を備えており、第２端にケーブル開口部７９４を備えている。
鍵付き取付開口部７９２には、主回転軸７４８が回転すると、それと共に鍵７００も回転するように、合わせ面を係合させて、主回転軸７４８の鍵付き円柱部分７９６が挿入されている。
ケーブル開口部７９４は、以下にその詳細が説明されているが、第１および第２フロアーラッチ機構６１０，６１２との相互作用のために、ケーブル７９８が接続されるようにできている。
ケーブル７９８は、図２９に最もよく示されているように、鍵７００に近接して配置されている、第１ケーブルハウジング７９９において、第１リクライニング機構６０６に接続されている。
【０１０５】
第１および第２フロアーラッチ機構７０２，７０４は、それぞれ、取付開口部８００と、係合表面８０４を有する第１伸張部８０２と、ケーブル開口部８０８を有する第２伸張部８０６とを備えている。
取付開口部８００には、円柱部分８１０の主回転軸７４８が回転可能に挿入されている。その結果、第１および第２フロアーラッチ機構７０２，７０４は、内部および外部プレート６２４，６２６に対して相対的に、円柱部分８１０の周囲を回転することができる。
このように、図２９に最もよく示されているように、第１および第２フロアーラッチ機構７０２，７０４は、独立して、主回転軸７４８に対して相対的に、円柱部分８１０の周囲を回転することができる。また、第１および第２フロアーラッチ機構７０２，７０４は、通常、鍵７００と、作動カム６９６との間に、主回転軸７４８の長さに沿って配置されている。
【０１０６】
第１伸張部８０２の係合表面８０４は、第１および第２フロアーラッチ機構７０２，７０４が、主回転軸７４８の周囲を回転するように、作動カム６９６の作動支柱７８２と選択的に係合する。なお、これに関しては、以下に詳細な説明を行う。
ケーブル開口部８０８には、第１リクライニング機構６０６と、第１および第２ニーリング機構６１６，６１８とが相互作用できるように、それぞれ、ケーブル８１２が挿入されている。
ケーブル８１２は、図２８および図２９に最もよく示されているように、移動回転軸７０６に近接して配置されている、第２ケーブルハウジング８１３において、第１リクライニング機構６０６へと接続されている。
【０１０７】
移動回転軸７０６は、内部および外部プレート６２４，６２６に形成されている、１対の取付開口部８１４によって担持されており、内部プレート６２４に近接して配置されるフランジ末端８１６と、円柱部分８１８と、外部プレート６２６を貫通して伸びている鍵付き部分８２０とを備えている。
円柱部分８１８は、内部および外部プレート６２４，６２６を貫通して伸びている。一方で、当該鍵付き部分８２０は、外部プレート６２６から、通常、第２リクライニング機構６０８に向かって伸びている。
鍵付き部分８２０は、第１および第２リクライニング機構６０６，６０８が機械的に相互作用できるように、横断部材８１６を受容している。その結果、リクライニングカム６９２が回転すると、横断部材８１６も同時に回転することができる。
リクライニングカム６９２の回転は、カム７０７を経由して、移動回転軸へと伝えられる。なお、カム７０７は、鍵付き取付開口部７０９を備えており、移動回転軸７０６およびスロット７１１と共に回転するように、当該開口部７０９が固定されている。
当該スロット７１１には、バネ支柱７５４が、スライドできるように挿入されている。従って、リクライニングカム６９２が主回転軸７４８の周囲を回転すると、支柱７５４はスロット７１１内部を平行移動（translate）し、移動回転軸７０６および横断部材８１６が回転する。
このようにして、第１リクライニング機構８０６が解放されたときに、横断部材８１６が、第２リクライニング機構８０８を解放することができる。
【０１０８】
前述のように、主回転軸７４８は、第１および第２フロアーラッチ機構７０２，７０４を回転可能に担持しており、リクライニングカム６９２と、作動カム６９６と、鍵７００とを固定的に担持している。
このようにして、主回転軸７４８が回転すると、それと同時に、リクライニングカム６９２と、作動カム６９６と、鍵７００とが回転するが、一方で、フロアーラッチ機構７０２，７０４は、静止したまま保たれる、または、当該回転の影響を受けない。
内部および外部プレート６２４，６２６に対して相対的に、作動レバー６２８を回転させることで、主回転軸７４８の、上記のような回転が可能となる。
具体的には、作動レバー６２８は、主回転軸７４８へと、通常は、リクライニングカム６９２と近接した位置へと、固定的に取り付けられている。従って、作動レバー６９２を回転させると、主回転軸７４８が回転する。
また、予測されることであるが、作動レバー６２８へと外力を加えることで、作動レバー６２８が回転される。
【０１０９】
作動レバー６２８が回転すると、それと同時に作動カム６９６が回転し、その結果、係合表面７７６がリクライニングカム６９２の係合レッグ７４６と接触する。
作動カム６９６が十分に回転すると、作動カム６９６と係合レッグ７４６との相互作用により、リクライニングカム６９２が回転する。
リクライニングカム６９２が回転すると、係合表面７４２は、歯止め６９０の係合表面７１６との接触から解放されて、第２係合表面７１８と係合する。その結果、歯止め６９０は、図３１の視点において、時計回り（ＣＷ）方向に回転する。
予測されることであるが、歯止め６９０が上記のように回転すると、歯７１４は、第１背もたれサポート６１８の歯６３６との係合から解放される。その結果、第１背もたれサポート６１８は、内部および外部プレート６２４，６２６に対して相対的に、リクライニングまたは回転することができる。
【０１１０】
ここでは、主回転軸７４８は、円柱部分８１０を備えていると説明されたが、円柱バレル構造８１１などの、主回転軸７４８が、第１および第２フロアーラッチカム７０２，７０４に対して相対的に回転できる、あらゆる構造を用いることが予測されるところであり、従って、これらのものも本発明の範囲内に含まれるものであると理解されるべきである。
このような構造においては、バレル８１１は、その周囲で、第１および第２フロアーラッチカム７０２，７０４を、回転可能に受容しており、主回転軸７４８によって、固定的に受容されている。その結果、バレル８１１は主回転軸７４８と共に回転するが、それと同時に、ラッチカム７０２，７０４は、その外側表面上を回転できるようになっている。
【０１１１】
上述のように、歯止め６９０と、リクライニングカム６９２と、移動カム６９４と、移動回転軸７０６とは、内部および外部プレート６２４，６２６の間に、動作可能に担持されている。
このような場合、これらのプレート間に配置された部材が、確実かつ予測どおりに動作するようにすべく、内部プレート６２４は、本質的に、外部プレート６２６と固定的された状態に保たれなければならない。
内部および外部プレート６２４，６２６の間に、一定幅の空間を確保するために、１対のスペーサー８２２がこれらプレートの間に挿入され、内部および外部プレート６２４，６２６の間の相対的な距離が設定されている。
図２４〜３１に最もよく示されているように、円柱スペーサー８２２は、内部および外部プレート６２４，６２６に形成された、開口部８２４へと、固定的に挿入されている。
【０１１２】
特に図３２〜３７を参考にしながら、第１および第２フロアーラッチ機構６１０，６１２について詳細な説明を行う。
前述のように、第１および第２フロアーラッチ機構６１０，６１２は、インボードおよびアウトボード機構６０２，６０４が、回転または前方への押し上げ回転するように、動作することができる。
なお、第１および第２フロアーラッチ機構６１０，６１２は、それぞれ、ほぼ同一のものであるために、ここでは第１フロアーラッチ機構６１０についてのみ説明を行う。
【０１１３】
第１フロアーラッチ機構６１０は、第１および第２ハウジングプレート８２６，８２８と、クロー８３０と、ロックレバー８３２と、カムフォーク８３４と、コイルバネ８３６と、ローラー８３８とを備えている。
ハウジングプレート８２６，８２８は、それぞれ、上部回転軸開口部８４０と、ストライカー収納部８４２と、第１および第２フロアーラッチ機構６１０，６１２の動作により発生するノイズを軽減することができる、１対のシュラウド８３９とを備えている。
クロー８３０は、第１および第２ハウジングプレート８２６，８２８の間に配置されており、ストライカーポケット８４４と、回転軸開口部８４６と、バネ開口部８４８とを備える、本質的に平面的な部材である。
ストライカーポケット８４４は、クロー８３０の第１および第２レッグ８５０，８５２の間の空間によって定義されるものであり、図３４に示されているように、固定位置（状態）にあるストライカー６２２を動作可能に受容することができる。
回転軸開口部８４６には、回転軸８５４が回転可能に挿入されており、その結果、クロー８３０は、以下にその詳細が説明されるように、回転軸８５４を中心として、固定位置（状態）と解放位置（状態）との間を回転することができる。
さらに、クロー８３０は、第１レッグ８５０に隣接して配置された、ショルダー８５６を備えている。
ショルダー８５６は、クロー８３０を固定および解放位置（状態）の間で切り替えることができるように、ロックレバー８３２と選択的に係合できる、作用表面８５７を備えている。
【０１１４】
ロックレバー８３２は、クロー８３０のショルダー８５６に近接して配置されており、第１回転軸開口部８５８と、第２回転軸開口部８６０と、伸張部８６２とを備える、ほぼ平面的な部材である。
第１回転軸開口部８５８には、第１回転軸８６４が挿入されている。また、当該第１回転軸８６４は、第１および第２ハウジングプレート８２６，８２８に形成された１対の開口部８６６に、固定的に挿入されている。その結果、ロックレバー８３２は、第１および第２ハウジングプレート８２６，８２８に対して相対的に、当該プレート８２６，８２８間を回転することができる。
第２回転軸開口部８６０には、ベアリング表面８７０を有する第２回転軸８６８が挿入される。
ベアリング表面８７０は、ローラー８３８を回転可能に受容しており、その結果、ローラー８３８は、第２回転軸８６８と、ロックレバー８３２との双方に対して相対的に回転することができる。
伸張部８６２は、クロー８３０のショルダー８５６に近接して配置されており、クロー８３０の作用表面８５７と選択的に係合する、作用表面８７２を備えている。
【０１１５】
バネ８７４は、クロー８３０とロックレバー８３２との間に配置されており、クロー８３０とロック部材８３２とを偏倚させる役割を果たしている。
バネ８７４は、コイル状胴体８８０によって隔てられた、第１端８７６と、第２端８７８とを備えている。
クロー８３０のバネ開口部８４８には、バネ８７４の第１端８７６が固定的に挿入されており、第２端８７８は、第２回転軸８６８に固定されている。
このようにして、バネ８７４は、以下にその詳細が示されているように、クロー８３０とロックレバー８３２とに力を伝達する。
【０１１６】
カムフォーク８３４は、第１および第２ハウジングプレート８２６，８２８との間に配置されており、鍵付き回転軸開口部８８２と、スロット８８４とを備えている。
鍵付き回転軸開口部８８２には、合わせ面が係合するように、鍵付き末端８８８を有する回転軸８８６が挿入されており、その結果、回転軸８８６と共に回転するように、カムフォーク８３４が固定される。
さらに、回転軸８８６は、鍵付き末端８８８に隣接して配置されている第１円柱部分８８７と、第１円柱部分８８７に隣接して配置されている第２円柱部分８９０と、バネ台座８９４を有する第３円柱部分８９２とを備えている。
第２円柱部分８９０は、第１および第２ハウジングプレート８２６，８２８を貫通するように形成された、開口部８９６へと回転可能に挿入されている。従って、回転軸８８６は、第２円柱部分８９０の周囲を回転する。
【０１１７】
回転軸８８６が、図３２の視点に対して時計回り（ＣＷ）方向へと偏倚されるように、回転軸８８６にコイルバネ８９６が固定的に取り付けられている。
具体的には、回転軸８８６のバネ台座８９４には、コイルバネ８９８の中心平板８９７が取り付けられており、また、コイルバネ８９８の外側に向かって伸びる伸張アーム１２０５は、回転軸８８６を時計回り方向へと偏倚するように、バネ支柱９００と係合している。
予測されることであるが、カムフォーク８３４は回転軸８８６と共に回転するように固定されているために、カムフォーク８３４も同様に、コイルバネ８９６によって、時計回り方向へと偏倚されている。
【０１１８】
スロット８８４は、鍵付き回転軸開口部８８２から伸びており、また、当該スロット８８４は、その長さに沿って伸びている、作用表面８８５を備えている。
スロット８８４は、ローラー８３８が、通常は、作用表面８８５に沿ってスロット８８４の長さを移動することができるように、回転可能にローラー８３８を受容している。
【０１１９】
カムフォーク８３４は、さらに、通常は鍵付き取付開口部８８２と、スロット８８４との間に配置される、ケーブル開口部９０２を備えている。
ケーブル開口部９０２は、ケーブルハウジング９０４を通って、第１リクライニング機構６０６から伸びている、ケーブル８１２を受容している。
ケーブル８１２は、コイルバネ８９８の偏倚に反発した方向にカムフォーク８３４を回転させて、クロー８３０を解放するために、作動レバー６２８に加えられた力を、カムフォーク８３４へと伝達することができる。
なお、第２フロアーラッチ機構６０８も同様にケーブル８１２を受容しており、その結果、第１リクライニング機構６０６が第１フロアーラッチ機構６１０を解放すると、同様に、第２フロアーラッチ機構６１２も解放されることに注意されたい。
【０１２０】
フロアーラッチ機構６１０を動作させるためには、まず作動レバー６２８に力が加えられて、第１リクライニング機構６０６と、第２フロアーラッチ機構６１２とが解放される。
一旦、第１リクライニング機構６０６が解放されると、第１背もたれサポート６１８が、折り畳み位置（状態）に向かって、内部および外部プレート６２４，６２６に対して相対的に回転する。
この位置（状態）において、作動支柱７８２が、第１および第２フロアーラッチ機構７０２，７０４と接触し、その結果、カム７０２，７０４が回転して、ケーブル８１２に張力が加えられる。
さらに作動レバー６２８が回転すると、フロアーラッチカム７０２，７０４が回転し、その結果、ケーブル８１２は、回転軸８８６を中心として、カムフォーク８３４を回転させる。
【０１２１】
カムフォーク８３４が、コイルバネ８９６の偏倚に反発して回転すると、ローラー８３８がスロット８８４に沿って移動する。
ローラー８３８がスロット８８４に沿って移動すると、ロックレバー８３２が、図３５の視点における反時計回り（ＣＣＷ）方向に回転して、クロー８３０のショルダー８５６を解放する。
一旦、ロックレバー８３２の伸張部８６２が、クロー８３０のショルダー８５６を解放すると、バネ８７４から加えられる偏倚力によって、図３５の視点における時計回り（ＣＷ）方向に、クロー８３０が回転する。
バネ８７４が、カム８３０を回転させると、ストライカーポケット８４４とストライカー収納部３４２とが一直線上に並び、ラッチ機構６１０がストライカー６２２を解放することが可能となる。
【０１２２】
一旦ラッチ機構６１０がストライカー６２２から解放されてしまえば、図２１に示されているように、上部回転軸開口部８４０の周囲をＲＦＫ６００が回転するように、ＲＦＫ６００に力が加えられてもよい。
より具体的には、ＲＦＫ６００は、上部回転軸開口部８４０に挿入されている、上部回転軸９０６の周囲を回転する。
予測されることであるが、一旦ＲＦＫ６００が前方へと回転すると、（すなわち、ＲＦＫ６００が押し上げ回転位置（状態）にあるときに、）ラッチ機構６１０，６１２は、通常、ＲＦＫ６００の下部表面に対して９０度の角度で、下部表面から突き出ている。
このような状態になることを防ぐために、扇形プレート９０８と、カム９１０とが連携して動作し、ラッチ機構６１０，６１２を収納する。その結果、ラッチ機構６１０，６１２は、通常、ＲＦＫ６００の下部表面と同じ高さに収められる。
【０１２３】
扇形プレート９０８は、上部回転軸９０６によって、回転可能に担持されており、制動９１２と、取付開口部９１３と、第１および第２カム表面９０９，９１１とを備えている。
取付開口部９１３にはリベット９１５が挿入されており、扇形プレート９０８をＲＦＫ６００に固定している。その結果、扇形プレート９０８の、ＲＦＫ６００の下部表面に対して相対的に移動が制限されている。
さらに、ケーブル９１４が用いられており、当該ケーブルの第１端は、取付開口部９０７を通って第１ハウジング８２６に取り付けられており、第２端（図示されず）は、ＲＦＫ６００に接続されている。
【０１２４】
カム９１０は、フランジ９１６を備えている平面的なプレートであり、回転軸８８６によって担持されている。
フランジ９１６は、ニーリング動作と、押し上げ回転動作との最中に、制動から、カム表面９０９，９１１に沿って移動することができるように、制動９１２によって受容されている。なお、これに関しては、以下に詳細な説明を行う。
【０１２５】
カム９１０は、支柱９００を固定して担持している。その結果、コイルバネ８９８は、制動９１２と係合するように、フランジ９１６を偏倚している。
より具体的には、コイルバネ８９６のアーム１２０５は、カム９１０が回転軸８８６の周囲を回転し、制動９１２と係合するように、第１筐体板８２６に形成されたスロット９０５の内部において、支柱９００を偏倚する役割を果たしている。
【０１２６】
一旦、ラッチ機構６１０が、ストライカー６２２から解放されると、ＲＦＫ６００は、図２１に示されているように、上部回転軸９０６の周囲を回転することができる。
その回転中に、ケーブル９１４は、第１ハウジングプレート８２６へと力を加える。その結果、フランジ９１６は制動９１２から離れ、カム表面９０９に沿って移動する。
予測されることであるが、一旦フランジ９１６がカム表面９０９に沿って移動すると、フロアーラッチ機構６１０は、ＲＦＫ６００に対して相対的に回転し始める。その結果、ＲＦＫ６００が完全に押し上げ回転された位置（状態）にあるとき、フロアーラッチ機構６１０，６１２は、通常、ＲＦＫ６００の下部分と同じ高さに収まっている。
【０１２７】
フロアーラッチ機構６１０を、固定位置（状態）に戻すために、ＲＦＫ６００が上部回転軸９０６の周囲を回転するように、ＲＦＫ６００に力が加えられる。
一旦、ＲＦＫ６００が十分に回転すると、使用位置（状態）へとＲＦＫ６００を戻すことに関連した力と運動量が、クロー８３０のストライカー６２２へと伝達される。その結果、クロー８３０が、バネ８７４の偏倚に反発して回転する。
バネ８７４の偏倚に打ち勝つと、クロー８３０は、ロックレバー８３２によって、固定位置（状態）に保たれる。
より具体的には、クロー８３０が図３５の視点における反時計回り（ＣＣＷ）方向に回転すると、クロー８３０は、バネ８７４を通して、ロックレバー８３２へと力を伝達する。
このような力によって、ロックレバー８３２は時計回り（ＣＷ）方向に回転し、クロー８３０のショルダー８５６と係合する。その結果、クロー８３０が固定位置（状態）に固定される。
【０１２８】
インボード機構６０２は、さらに、第１または第２フロアーラッチ機構６１０，６１２の少なくともひとつが解放位置（状態）にある場合に、第１背もたれサポート６１８が回転することを防止することができる、第１連接機構９１８を備えている。
第１および第２フロアーラッチ機構６１０，６１２の双方のクロー８３０が、それぞれ対応したストライカー６２２としっかりと係合しているときに、第１および第２フロアーラッチ機構６１０，６１２が固定位置（状態）にあると見なされる。
【０１２９】
第１連接機構９１８は、第１および第２連接部材９２０，９２２と、連接棒９２４と、１対のバネ９２５と、連接支柱９２６とを備えている。
第１および第２連接部材９２０，９２２は、本質的に同一のものであり、中央取付開口部９２８と、バネ開口部９３０と、係合アーム９３２とを備えている。
中央取付開口部９２８には、主回転軸７４８が回転可能に挿入されている。その結果、第１および第２連接部材９２０，９２２は、主回転軸７４８から独立して回転することができる。
係合アーム９３２は、第１および第２フロアーラッチカム７０２，７０４と選択的に係合できるように、中央取付開口部９２８から伸びている。なお、これに関しては、後に詳細な説明を行う。
【０１３０】
図２３および図２７に最もよく示されているように、それぞれのバネ９２５は、それぞれが対応する連接部材９２０，９２２の、バネ開口部９３０に固定して取り付けられる第１端と、外部プレート６２６上に形成されたバネ台座９３４に取り付けられる第２端と、を備えている。
バネ９２５は、第１および第２連接部材９２０，９２２を、固定位置（状態）へと、ならびに、第１および第２フロアーラッチカム７０２，７０４と係合した状態へと偏倚させる役割を果たしている。その結果、以下にその詳細が説明されているように、内部および外部プレート６２４，６２６に対して相対的な、プレート６３０の回転が防止される。
【０１３１】
連接棒９２４は、図２４に最もよく示されているように、その第１端に鍵付き取付開口部９３６を有し、その第２端に取付開口部９３８を有し、第１端から伸びるアーム９４０を有する、細長い部材である。
鍵付き回転軸開口部９３６には、合わせ面が係合するように、連接回転軸９４４の鍵付き部分９４２が挿入されており、その結果、連接棒９２４が鍵付き回転軸９４４と共に回転するように固定されている。
アーム９４０は、連接棒９２４から、通常は鍵付き取付開口部９３６の付近まで伸びており、また、係合表面９４６を備えている。
係合表面９４６は、以下にその詳細が説明されるところであるが、連接棒９２４を、固定位置（状態）および解放位置（状態）の間で選択的に固定できるように、第１および第２連接部材９２０，９２２と係合している。
【０１３２】
取付開口部９３８には、連接支柱９２６が固定的に挿入されている。その結果、当該支柱９２６は、連接棒９２４と共に移動するように固定されている。
連接棒９２４の移動は、図２３に最もよく示されているように、内部および外部プレート６２４，６２６に形成されている、弓形スロット９４８内部における連接支柱９２６の移動によって、規定されている。
スロット９４８は、第１端９５０と、第２端９５２とを備えている。連接支柱９２６が、第１端９５０と隣接しているとき、連接支柱９２６は解放位置（状態）にあり、第２端９５２と隣接しているときは固定位置（状態）にある。
連接支柱９２６が解放位置（状態）にあるとき、プレート６３０は、内部および外部プレート６２４，６２６に対して、相対的に回転することができる。その結果、第１背もたれサポート６１８は、内部および外部プレート６２４，６２６に対して相対的に回転することができる。
連接支柱９２６が固定位置（状態）にあるとき、プレート６３０が、内部および外部プレート６２４，６２６に対して相対的に回転することを防止して、第１背もたれサポート６１８が、内部および外部プレート６２４，６２６に対して相対的に回転しないように、当該支柱９２６が連接ノッチ６３８と係合している。なお、これに関しては、後に詳細な説明を行う。
【０１３３】
連接支柱９２６は、中心平板９５６と、アーム９５８とを有するコイルバネ９５８によって、解放位置（状態）に偏倚されている。
中心平板９５６は、連接回転軸９４４に形成されたバネ支柱９６０に取り付けられており、アーム９５８は、内部プレート６２４に形成されたバネ台座９６２に取り付けられている。
このようにして、コイルバネ９５８は、図２３の視点における反時計回り（ＣＣＷ）方向へと連接回転軸９４４を回転させる。その結果、連接支柱９２６は、スロット９４８の第１端９５０と係合する状態へと偏倚される。
言い換えると、コイルバネ９５４は、プレート６３０が、内部および外部プレート６２４，６２６に対して相対的に回転できるように、連接棒９２４を、解放位置（状態）へと偏倚することができる。
【０１３４】
上述のように、第１および第２連接部材９２０，９２２は、主回転軸７４８に対して、自由に回転することができる。
しかし、連接部材９２０，９２２の係合アーム９３２と、フロアーラッチカム７０２，７０４の第２伸張部８０６との相互作用が、第１および第２連接部材９２０，９２２の移動を制限している。
しかしながら、作動レバー６２８が回転して、第１および第２フロアーラッチカム７０２，７０４が回転すると、連接部材９２０，９２２は、フロアーラッチカム７０２，７０４を解放する。その結果、連接部材９２０，９２２が回転できるようになる。
【０１３５】
フロアーラッチカム７０２，７０４から解放されると、連接部材９２０，９２２は、バネ９２５から加えられる偏倚力によって、図２３の視点における時計回り（ＣＷ）方向へと回転する。
上記のような回転によって、それぞれの連接部材９２０，９２２は、連接棒９２４を回転させる。上記連接棒９２４を回転は、連接部材９２０，９２２と連接棒９２４の係合表面９４６との相互作用によって生じるコイルバネ９５４の偏倚に反発している。
連接棒９２４が十分に回転すると、連接支柱９２６が、スロット９４８の第１端９５０から、スロットの第２端９５２へと移動する。その結果、第１背もたれサポート６１８の、内部および外部プレート６２４，６２６に対した相対的な回転が制限される。
【０１３６】
前述のように、主回転軸７４８が回転すると、それと同時に、リクライニングカム６９２と、作動カム６９２と、鍵７００とが回転するが、フロアーラッチカム７０２，７０４は、静止したまま保たれるか、または主回転軸７４８から独立して回転する。
このように、フロアーラッチカム７０２，７０４は、自身に直接加えられる力によってのみ回転する。
そのような力は、作動カム６９６が、図２３の視点における反時計回り（ＣＣＷ）方向に、十分に回転したときに、フロアーラッチカム７０２，７０４へと加えられる。
作動支柱７８２が第２伸張部８０６と接触したときに、フロアーラッチカム７０２，７０４が回転される。その結果、フロアーラッチカム７０２，７０４が回転して、フロアーラッチカム７０２，７０４と、連接部材９２０，９２２との間の係合が解放される。
前述のように、第１および第２フロアーラッチ機構６１０，６１２が解放位置（状態）にあるとき、ケーブル８１２には張力が存在する。
しかしながら、一旦フロアーラッチ機構６１０，６１２が解放されると、コイルバネ８９８によって、カムフォーク８３４へと加えられる偏倚によって、ケーブル８１２は、該張力より解放される。
このように、ケーブル８１２は弛緩した状態となり、その結果、バネ９２５が、連接機構９１８を、固定位置（状態）へと偏倚することが可能となる。
【０１３７】
連接機構９１８は、第１および第２フロアーラッチ機構６１０，６１２の両方が、固定位置（状態）へと戻されるまで、固定位置（状態）に保たれ続ける。
具体的には、連接部材９２０，９２２が独立して回転できるときに、フロアーラッチ機構８１０または８１２の一方が固定位置（状態）（すなわち、前述の説明の固定位置（状態））へと戻されると、ケーブル８１２の一方が、それぞれ対応した連接部材９２０または９２２のひとつを、解放位置（状態）へと戻す。
連接部材９２０または９２２の一方が解放位置（状態）へと戻された場合にも、他方の連接部材９２０または９２２は、連接棒９２４と接触したままに保たれる。その結果、連接棒９２４は、フロアーラッチ機構６１０，６１２の双方が固定位置（状態）に戻されるまで、スロット９４８の第２端９５２に近接した状態である、固定位置（状態）に保たれる。
【０１３８】
図３８〜４４について具体的に説明すると、第２リクライニング機構６０８を動作可能に担持している、内部および外部プレート９６４，９６６を備えた、アウトボード機構６０４が示されている。
第２背もたれサポート６２０は、内部および外部プレート９６４，９６６の間に、回転可能に担持されており、また、当該第２リクライニング機構と相対的に回転して、第２背もたれサポート６２０の位置合わせが行えるように、第２リクライニング機構６０８と選択的に係合している。
作動レバー９６８は、インボード機構６０２によって、回転可能に担持されており、また、第２リクライニング機構６０８、および、第１および第２ニーリング機構６１６，６１８と、動作可能に係合している。
さらに、作動レバー９６８は、以下にその詳細が説明されるように、第２リクライニング機構６０８を通じて、インボード機構６０２の第１リクライニング機構６０６を動作させることができる。
【０１３９】
第２背もたれサポート６２０は、ほぼ三角形のプレート９７０を備えており、この三角形プレート９７０は、当該プレートを貫通している回転軸開口部９７２と、弓形端部９７４とを備えている。
弓形端部４２の一部分には、第２リクライニング機構６０８と選択的に係合できるように、複数の歯９７６が備えられている。
また、背もたれフレーム（図示されず）とクラムシェル構造９８０とを取り付けるために、補助開口部９７８が設けられている。
クラムシェル構造９８０は、プレート９７０を補強し、さらに、強度および折り曲げに対する抵抗性が増した第２背もたれサポート６２０を提供する役割を果たしており、また、当該クラムシェル構造９８０は、プレート９７０に取り付けられるように、複数の取付開口部９７９を備えている。
【０１４０】
第２背もたれサポート６２０は、背もたれサポート回転軸９８２によって、内部および外部プレート９６４，９６６の間に、回転可能に担持されている。
背もたれサポート回転軸９８２は、鍵付き円柱部分９８４と、ベアリング表面９８８を有する第１円柱部分９８６と、直径方向ノッチ９９２が形成された第２円柱部分９９０とを備えている。
背もたれサポート回転軸９８２は、外部プレート９６４の鍵付き開口部９９４、第２背もたれサポート６２０の回転軸開口部９７２、外部プレート９６６の回転軸開口部９９６、および、クラムシェル構造９８０の開口部９９８へと挿入されている。
鍵付き円柱部分９８４は、背もたれサポート回転軸９８２を固定して、内部および外部プレート９６４，９６６に対して相対的に回転しないように、内部プレート９９４の鍵付き開口部９６４と位置合わせがなされている。
第１円柱部分９８６は、第２背もたれサポート６２０が、ベアリング表面９８８上を回転できるように、第２背もたれサポート６２０の回転軸開口部９７２と位置が合わされている。
第２円柱伸張部９９０は、その外部表面から伸びた直径方向ノッチ９９２を備えている、外部プレート９６６の回転軸開口部９９６と、一直線上に並ぶように、位置が合わされている。
【０１４１】
第２背もたれサポート６２０は、コイルバネ１０００によって偏倚されている。なお、当該コイルバネ１０００は、回転軸９８２の直径方向ノッチ９９２と係合する、中心平板１００２と、取付開口部１００８を通り、第１背もたれサポート６２０から伸びている支柱１００６と係合する、外側に向かって伸びる伸張アーム１００４とを備えている。
支柱１００６は、第１円柱部分１０１０と、第２円柱部分１０１２と、第３円柱部分１０１４と、プレート９７０の取付開口部１００８に挿入されている中央円柱部分１０１６と、第４円柱部分１０１８と、を備えている。
第１円柱部分１０１０は、バネ１０００の伸張アーム１００４と係合して、第２背もたれサポート６２０を、図３８の視点における時計回り方向（ＣＷ）に偏倚させている。一方で、第４円柱部分１０１８は、外部プレート９６６と係合して、第２背もたれサポート６２０の動作範囲を決定している。なお、これらに関しては、以下において、より詳細な説明を行う。
【０１４２】
第２背もたれサポート６２０が、内部および外部プレート９６４，９６６に対して相対的に回転するとき、支柱１００６は、リクライニング中に、または、図３８の視点における反時計回り（ＣＣＷ）に回転中に、第２背もたれサポート６２０が、内部および外部プレート９６４，９６６に対して、さらに回転するのを防止するために、第１ストップ１０２０において、内部および外部プレート９６４，９６６と接触することができる。
図３８の視点において、第２背もたれサポート６２０が時計回り（ＣＷ）に回転中に、支柱１００６は、第２ストップ１０２２と接触することができ、第２背もたれサポート６２０が、内部および外部プレート９６４，９６６に対して、さらに前方に移動するのを防止している。
このようにして、第２背もたれサポート６２０の回転動作範囲が決定される。
【０１４３】
内部プレート９６４は、さらにその強度を増すために、当該プレート９６４と一体に形成されており、第２リクライニング機構６０８と、第２ニーリング機構６１８との間に配置される、伸張部１０２４を備えている。
さらに、外部プレート９６６も同様に、その強度を増すために、当該外部プレート９６６と一体に形成されており、第２リクライニング機構６０８と、第２ニーリング機構６１８との間に配置される、伸張部１０２６を備えている。なお、これらに関しては、図３８および図４１〜４４に最もよく示されている。
内部および外部プレート９６４，９６６、ならびに、伸張部１０２４，１０２６は、複数の柱１０２５により固定した状態に保たれている。これらの複数の柱１０２５は、それぞれ、伸張部１０２４，１０２６に形成された、複数の開口部１０２７へと挿入されている。
柱１０２５は、内部および外部プレート９６４，９６６、ならびに、伸張部１０２４，１０２６の間の全体的な距離を決定することができる。
【０１４４】
第１リクライニング機構６０６は、作動カム１０２８と、鍵１０３０と、メインカム１０３２と、移動棒１０３４と、ロックカム１０３６と、歯止め１０３８とを備えている。
作動カム１０２８は、鍵付き取付開口部１０４０と、ケーブル開口部１０４２と、係合アーム１０４６とを備えている。
鍵付き取付開口部１０４０には、作動アーム１０２８が固定され、回転軸１０４６と共に回転するように、回転軸１０４６が固定的に挿入されている。
具体的には、図３９および図４２に最もよく示されているように、回転軸１０４６は、第１鍵付き部分１０４８と、円柱部分１０５０と、第２鍵付き部分１０５２とを備えており、当該第１鍵付き部分１０４８は、合わせ面が係合するように、作動アーム１０２８の第１鍵付き開口部１０４０に挿入されており、円柱部分１０５０は、回転可能に、取付開口部１０５４へと挿入されている。
このようにして、作動アーム１０２８は、回転可能に外部プレート９６６の外側表面上に担持されている。
【０１４５】
ケーブル開口部１０４２は、鍵付き取付開口部１０４０の反対側に形成されており、さらに、第１フロアーラッチ機構６１０と相互作用できるように、ケーブルハウジング１０５８を通じて、ケーブル１０５６が接続されている。
具体的には、第１フロアーラッチ機構６１０が解放されると、ケーブル１０５８に張力が加わり、その結果、第２リクライニング機構６０８を解放するように、作動カム１０２８が回転する。
作動アーム１０２８は、通常、鍵付き取付開口部１０４０と、ケーブル開口部１０４２との間で、作動カム１０２８から伸びてている部材であり、作用表面１０６０を備えている。
【０１４６】
鍵１０３０は、鍵付き取付開口部１０６２と、作用表面１０６４とを備える、ほぼ平面的な部材である。
鍵付き取付開口部１０６２には、合わせ面が係合するように、回転軸１０４６の第２鍵付き部分１０５２が挿入されている。その結果、鍵１０３０が、回転軸１０４６および作動アーム１０２８と共に回転するように固定される。
図４１および図４３に最もよく示されているように、作用表面１０６４は、メインカム１０３２と相互作用するように、鍵１０３０の側面に沿って形成されている。
【０１４７】
メインカム１０３２は、第１取付開口部１０６６と、第２取付開口部１０６８と、鍵付き回転軸開口部１０７０と、を備えている。
第１取付開口部１０６６には、移動棒１０３６と機械的に相互作用を行えるように、回転軸１０７２が固定的に挿入されている。なお、これに関しては後に詳細な説明を行う。
第２取付開口部１０６８には、鍵１０３０の作用表面１０６４と選択的に係合するように、ピン１０７４が挿入されている。
鍵付き回転軸開口部１０７０には、内部プレート９６４に近接して配置されるフランジ末端１０７８と、円柱部分１０８０と、外部プレート９６６を通って伸びる鍵付き部分１０８２とを有する、移動回転軸１０７６が挿入されている。
円柱部分１０８０は、内部および外部プレート９６４，９６６を貫通して伸びている。一方、鍵付き部分１０８２は、通常は、外部プレート９６６から第１リクライニング機構６０６に向かって伸びている。
鍵付き部分１０８２には、第１および第２リクライニング機構６０６，６０８が機械的に相互作用（連動）できるように、横断部材８１６が挿入されている。その結果、リクライニングカム１０３２が回転すると、横断部材８１６も同時に回転する。
このようにして、横断部材８１６は、第２リクライニング機構６０８が解放されたときに、第１リクライニング機構６０６を解放することができる。
【０１４８】
移動棒１０３４は、第１取付開口部１０８４と、第２取付開口部１０８６と、鍵付き回転軸開口部１０８６と、バネスロット１０８８とを備えている。
第１取付開口部１０８４には、メインカム１０３２に対して相対的に移動棒１０３４が回転できるように、回転軸１０７２が挿入されている。
言い換えると、メインカム１０３２が移動回転軸１０７６の周囲を回転すると、移動棒１０３４が平行移動（並進移動）するように、移動棒１０３４は、メインカム１０３２と動作可能に接続されている。
第２取付開口部１０８６には、ロックカム１０３６と相互作用を行えるように、第２回転軸１０８５が固定的に挿入されている。なお、これに関しては以下に詳細な説明を行う。
バネスロット１０８８には、バネ１０９０の第１端が取り付けられている。その結果、バネ１０９０は、移動棒１０３４を偏倚することができ、メインカム１０３２の回転を制限することができる。
【０１４９】
ロックカム１０３６は、第１伸張部１０９２と、取付開口部１０９６を有する第２伸張部１０９４と、中央回転軸開口部１０９８とを備えている。
中央回転軸開口部１０９８には、中央円柱部分１１０２と、その両端に位置した１対の円柱部分１１０４とを有する、回転軸１１００が挿入されている。
中央円柱部分１１０２は、中央開口部１０９８へと挿入されている。一方、円柱部分１１０４は、それぞれ、内部および外部プレート９６４，９６６によって受容されている。
このようにして、ロックカム１０３６は、内部および外部プレート９６４，９６６の間に、回転可能に担持される。
第１伸張部は、歯止め１０３４と選択的に係合するように、作用表面１１０６を備えている。なお、これに関しては後に詳細な説明を行う。
第２伸張部１０９４は、ロックカム１０３６が、移動棒１０３４に対して相対的に回転するように、回転軸１０８５を受容している。
このようにして、移動棒１０３４が平行移動すると、ロックカム１０３６は、回転軸１１００の周囲を回転する。
【０１５０】
歯止め１０３８は、第１および第２伸張部１１０８，１１１０と、第１取付開口部１１１２とを備えている。
第１伸張部１１０８は、複数の歯１１１０と、係合表面１１１６とを備えている。当該歯１１１０は、第２背もたれサポート６２０の歯９７６と係合し、内部および外部プレート９６４，９６６に対して相対的な、背もたれサポート６２０の、複数の回転位置（すなわち、リクライニング位置）を決定するものである。また、当該係合表面１１１６は、ロックカム１０３６と相互作用するものである。なお、これらについては後に詳細な説明を行う。
第２伸張部１１１０は、係合表面１１１８を備えている。通常は、係号表面１１１６と係合表面１１１８との間に、カム収納部１１２０が設けられるように、係号表面１１１６と向かい合わせて、係合表面１１１８が備えられる。
歯止め１０３８は、図３９に最もよく示されているように、回転軸１０４６によって、内部および外部プレート９６４，９６６の間に、回転可能に担持されている。
【０１５１】
第２リクライニング機構６０８は、その動作中に、第２背もたれサポート６２０の、内部および外部プレート９６４，９６６に対した相対的な移動を、選択的に可能にする、および、制限することができる。
第２リクライニング機構６０８を解放するためには、作動レバー９６８に力が加えられて、その力が、ケーブル１０５６を通じて作動カム１０２８へと伝達される。
この力は、図４２の視点における時計回り（ＣＷ）方向へと、作動カム１０２８を回転させることができ、それと同時に、回転軸１０４６と、鍵１０３０とが、図４２の視点における反時計回り（ＣＣＷ）方向へと回転される。
鍵１０３０が上記のように回転すると、鍵１０３０の作用表面１０６４が、メインカム１０３２のピン１０７４と係合し、その結果、メインカム１０３２が時計回り（ＣＷ）方向へと回転する。
鍵１０３０が十分に回転すると、その回転に応じて、移動棒１０３４が平行移動し、その結果、ロックカム１０３６は、歯止め１０３８の第１伸張部１１０８を解放する。
【０１５２】
一旦ロックカム１０３６が、第１伸張部１１０８を解放すると、ロックカム１０３６の第１伸張部１１０８は、歯止め１０３８の第２伸張部１１１０と係合し、その結果、図３８の視点における反時計回り（ＣＣＷ）方向へと、歯止め１０３８が回転する。
この時点で、歯止め１０３８の歯１１１４は、プレート９７０の歯９７６を解放する。その結果、第２背もたれサポート６２０が、内部および外部プレート９６４，９６６に対して、相対的に回転することが可能となる。
一旦第２リクライニング機構６０８が解放されると、作動レバー９６８をさらに回転することで、ニーリング機構６１６，６１８が解放される。なお、これに関しては、後に詳細な説明を行う。
【０１５３】
図４５〜５０を特に参考にしながら、第１および第２ニーリング機構６１４，６１６について詳細な説明を行う。
前述のように、第１および第２ニーリング機構６１４，６１６は、前方へと屈曲する、または「ひざまずく」ことができる、インボードおよびアウトボード機構６０２，６０４を提供することができる。
なお、第１および第２ニーリング機構６１４，６１６は、それぞれほぼ同一のものであるために、ここでは第１ニーリング機構６１４についてのみ説明を行う。
【０１５４】
第１ニーリング機構６１４は、第１および第２ハウジングプレート１１２２，１１２４と、スライドピン１１２６と、ブラケット１１２８と、カムプレート１１３０と、鍵１１３２とを備えている。
第１および第２ハウジングプレート１１２２，１１２４は、それぞれ、上部回転軸開口部１１３６と、下部回転軸開口部１１３８とを備えている。
上部回転軸開口部１１３６には、中央円柱部分１１４２と、中央円柱部分１１４２に隣接する両端に配置された、１対の第１円柱部分１１４４と、第１円柱部分１１４４に隣接する両端に配置された、１対の第２円柱部分１１４６とを有する、上部回転軸１１４０が挿入されている。
図４６に最もよく示されるように、上部回転軸開口部１１３６には、固定的に中央円柱部分１１４２が挿入されており、その結果、内部および外部プレート１１２２，１１２４の間の、全体的な幅が決定される。
図４６に最もよく示されるように、上部回転軸１１４０は、さらに、当該回転軸１１４０の長さに沿って、通常は、１対の第２円柱部分１１４６の間を伸びている、穴１１４８を備えている。
穴１１４８には、ニーリング機構６１４が屈曲するときに、穴１１４８の内部において、横断部材１１５０が回転できるように、回転可能に横断部材１１５０が挿入されている。
【０１５５】
下部回転軸開口部１１３８には、下部回転軸１１５２が固定的に挿入されており、その結果、下部回転軸１１５２と共に、第１および第２ハウジングプレート１１２２，１１２４が回転する。
下部回転軸１１５２は、１対の鍵付き開口部１１５４と、中央円柱部分１１５６と、そこから伸びる円柱柱１１５８とを備えている。
下部回転軸開口部１１３８には、合わせ面が係合するように、鍵付き開口部１１５４が挿入されており、その結果、第１および第２ハウジングプレート１１２２，１１２４と共に回転するように、下部回転軸１１５２が固定されている。
円柱柱１１５８は、第２ハウジングプレート１１２４の外側表面から伸びており、さらに、バネ台座１１６０を備えている。
バネ台座１１６０には、中心平板１１６４と、アーム１１６６とを有する、コイルバネ１１６２が取り付けられている。中心平板１１６４は、下部回転軸１１２４を第１方向へと偏倚するように、バネ台座へと、固定的に挿入されている。なお、これに関しては、後に詳細な説明を行う。
【０１５６】
ブラケット１１２８は、本質的に平坦な下部分１１６８と、本質的に平坦であり、下部分１１６８から伸びている上部分１１７０とを有する、ほぼＬ型の部材である。
下部分１１６８は、ブラケット１１２８を外部構造１１３４へと固定するのに用いられる、１対の取付開口部１１７２を備えている。一方、上部分１１７０は、中央回転軸開口部１１７４と、１対の取付開口部１１７６と、カム表面１１８０と、第１端１１８２および第２端１１８６により定義される弓形スロット１１７８と、を備えている。
上部分１１７０は、中央回転軸開口部１１７４が、第１および第２ハウジングプレート１１２２，１１２４の下部回転軸開口部１１３８と直線上に並ぶように、第１および第２ハウジングプレート１１２２，１１２４の間に配置されている。
このようにして、ブラケット１１２８の中央回転軸開口部１１７４に、下部回転軸１１５２の中央円柱部分１１５６が、回転可能に挿入されている。
言い換えると、第１および第２ハウジングプレート１１２２，１１２４は、ブラケット１１２８に対して相対的に、下部回転軸１１５２の中央円柱部分１１５６の周囲を回転することができる。
【０１５７】
スライドピン１１２６は、図４６に最もよく示されるように、中央円柱胴体１１８８と、その両側面に位置する１対のイヤー１１９０とを備えている。
イヤー１１２６は、第１および第２ハウジングプレート１１２２，１１２４に形成されている、１対のスロット１１９２へと、スライド可能に挿入されており、スライドピン１１２６の動作範囲を決定する役割を果たしている。
具体的には、図４５および図４７〜５０に最もよく示されるように、スライドピン１１２６の動作は、スロット１１９２の第１端１１９４と、スロット１１９２の第２端１１９６とによって、決定されている。
第１および第２ハウジングプレート１１２２，１１２４が、下部回転軸１１５２の周囲を回転するときに、ブラケット１１２８のカム表面１１８０と相互作用するよう、中央円柱胴体１１８８は、さらに、係合表面１１９８を備えている。なお、これに関しては、後に詳細な説明を行う。
【０１５８】
カムプレート１１３０は、中央取付開口部１１３４と、アーム８３７とを備えている。
カムプレート１１３０は、カム回転軸１２００によって、第１および第２ハウジングプレート１１２２，１１２４の間に、回転可能に担持されている。カム回転軸１２００は、鍵付き部分１２０２と、第１および第２ハウジングプレート１１２２，１１２４に形成された、１対の開口部１２０６へと固定的に挿入された１対の円柱部分１２０４と、中央円柱部分１２１０と、を備えている。
カムプレート１１３０の中央取付開口部１１３４には、中央円柱部分１２１０が固定的に挿入されており、その結果、カムプレート１１３０は、カム回転軸１２００と共に回転するように固定されている。
アーム８３７は、中央取付開口部１１３４から伸びており、さらに、スライドピン１１２６の作用表面１１９８と選択的に係合するように、作用表面１２１４を備えている。なお、これに関しては、図４６に最もよく示されており、また、後に詳細な説明を行う。
さらに、円柱部分１２０４のひとつには、コイルバネ１２０８を受容できるように、バネスロット１２０５が形成されている。
【０１５９】
コイルバネ１２０８は、中心平板１２１２と、アーム１２１６とを備えている。
中心平板１２１２は、カム回転軸１２００に形成されたバネスロット１２０５へと挿入されており、アーム１２１６は、バネ台座１２３７と係合している。
このようにして、コイルバネ９１は、図４８の視点における時計回り（ＣＷ）方向へと、カムプレート１１３０を回転させる。
このようにして、コイルバネ１２０８は、カムプレート１１３０をスライドピン１１２６と係合するように偏倚して、ニーリング機構６０６を立ち上がり位置（状態）または使用位置（状態）に固定する役割を果たしている。なお、これに関しては、後に詳細な説明を行う。
【０１６０】
鍵１１３２は、外部プレート１１２２の外側表面に配置されており、鍵付き取付開口部１２１８と、ケーブル開口部１２２０とを備えている。
鍵付き取付開口部１２１８には、カム回転軸１２００の鍵付き部分１２０２が固定的に挿入されている。その結果、鍵１１３２は、カム１１３０と共に回転するように固定されている。
ニーリング機構６１６，６１８のそれぞれに対応する、ケーブル開口部１２２０には、第２リクライニング機構６０８と相互作用（連動）できるように、ケーブル１２２２の末端が接続されている。
ケーブル１２２２は、ケーブルハウジング１２２６によって第１ニーリング機構６０６に接続されている。ケーブルハウジング１２２６は、鍵１１３２に導かれる前に、取付開口部１２３０において、第１および第２ハウジングプレート１１２２，１１２４に、固定的に取り付けられている。
なお、第２ニーリング機構機構６１８にも同様にケーブル１２２２が接続されており、その結果、第１ニーリング機構６１６が解放されると、第２ニーリング機構６１８も同様に解放されることに注意されたい。
【０１６１】
ニーリング機構６１６，６１８を解放するために、作動レバー９６８に力が加えられ、作動アーム１０２８と回転軸１０４６とが回転する。
前述のように、そのような力によって、第２背もたれサポート６２０は、当該背もたれサポートが完全にリクライニングした位置（状態）に向かって、内部および外部プレート９６４，９６６に対して相対的に回転する。
一旦第２背もたれサポート６２０がリクライニング位置（状態）をとった後に、さらに作動アーム１０２８を回転させると、係合アーム１０４４が、伸張部１２３９において、ニーリングプレート１２３８と接触する。その結果、ニーリングプレート１２３８が、回転軸１０４６の周囲を回転する。
ニーリングプレートは、移動連接部材１２４０と、動作可能に相互接続されており、従って、ニーリングプレート１２３８が回転軸１０４６の周囲を回転すると、それと同時に、移動連接部材１２４０が平行移動する。
移動連接部材１２４０が平行移動すると、それと同時にホイール１２４２が平行移動し、ケーブル１２２２に張力が加わる。
予測されるように、ケーブル１２２２上の張力は、それぞれのニーリング機構６１６，６１８の鍵１１３２へと伝達される。
【０１６２】
ケーブル１２２２から伝達された力によって、鍵１１３２と、カムプレート１１３０とが十分に回転すると、カムプレート１１３０の係合表面１２１４はスライドピン１１２６を解放する。すると、スライドピン１１２６は、スロット１１９２に沿って、第２端１１９６から、第１端１１９４へと移動できるようになり、ニーリング機構６０６が効果的に解放される。
第１および第２ハウジングプレート１１２２，１１２４に外力が加えられて、第１および第２ハウジングプレート１１２２，１１２４が下部回転軸１１５２の周囲を回転するときに、上記のようにスライドピン１１２６が移動すると、スライドピン８０３が、ブラケット１１２８のカム表面１１８０に沿って移動する空間が提供される。
その結果、ピン１２３２が、スロット１１７８の第１端１１８２から、スロット１１７８の第２端１１９６へと移動できるようになる。従って、第１および第２ハウジングプレート１１２２，１１２４は、弓形表面１１７８に沿って、下部回転軸１１５２の周囲を回転できるようになる。
このように、図４７〜５０に最もよく示されているところであるが、ピン１２３２はスロット１１７８内部を移動するために、通常は、スロット１１７８の全体的な長さおよび形状が、第１および第２ハウジングプレート１１２２，１１２４の、ブラケット１１２８に対する相対的な移動行程を決定する。
一旦、ニーリング機構６１６，６１８が解放位置（状態）に移動すると、ケーブル１２２２は緩んだ状態へと戻ると理解されたい。なお、これに関しては、後に詳細な説明を行う。
【０１６３】
ニーリング機構６０６，６０８が、立ち上がり位置（状態）または使用位置（状態）に戻されたことを、しっかりと確認するために、背もたれ１１２８に対する、第１および第２ハウジングプレート１１２２，１１２４の回転移動を制限する、第２ストップ１２３６が用いられている。
ストップ１２３６は、図４７に最もよく示されているように、下部ブラケット１１２８の取付開口部１１７６のひとつへと挿入されている。
このようにして、ニーリング機構６０６，６０８が（すなわち、ニーリング位置（状態）または屈曲位置（状態）から）使用位置（状態）へと回転したときに、第１および第２ハウジングプレート１１２２，１１２４は、ストップ１２３６に接触する。すると、図４８の視点における時計回り（ＣＷ）方向へと、第１および第２ハウジングプレート１１２２，１１２４がさらに回転することが防止される。
【０１６４】
予測されることであるが、ニーリング機構６０６，６０８を立ち上がり位置（状態）または使用位置（状態）に戻すためには、インボードおよびアウトボード６０６，６０４に、外力を加える必要がある。
必要となる力を軽減するために、コイルバネ１１６２は、図４８の視点における時計回り（ＣＷ）方向へと、上部および下部ハウジング１１２２，１１２４を偏倚する役割を果たしている。
具体的には、コイルバネ１１６２のアーム１１６６は、第１および第２ニーリング機構６０６，６０８を、立ち上がりまたは使用位置（状態）へと戻すのを補助するように、第１および第２ハウジングプレート１１２２，１１２４へと回転力が印加されるように、第２ストップ１２３６と係合している。
予測されることであるが、それぞれのＲＦＫ１０は、特定の用途に合わせて作られても良く、図１８に示されているように、１つのニーリング機構６０６に、１つのコイルバネ１１６２のみが用いられるかもしれない。一方、その他のシステムでは、第１および第２ニーリング機構６０６，６０８の両方に、コイルバネ１１６２を用いる必要があるかもしれない。
【０１６５】
カムプレート１１３０の係合表面１２１４が、スライドピン１１２６と係合しており、その結果、スライドピン１１２６が、スロット１１９２の第２端１１９６と、カムプレート１１３０の間に割り込んでいるときに、第１および第２ニーリング機構６１６，６１８は固定位置（状態）にあると見なされる。
この位置（状態）において、スライドピン１１２６は、スロット１１７８内部のピン８０３の移動を効果的に制限している。その結果、前述のように、第１および第２ハウジングプレート１１２２，１１２４が、ブラケット１１２８と相対的に回転することが制限されている。
【０１６６】
アウトボード機構６０４は、さらに、第１または第２ニーリング機構６１６，６１８の少なくともひとつが解放位置（状態）にある場合に、第２背もたれサポート６２０が回転することを防止することができる、第２連接機構１２４４を備えている。
スライドピン１１２６が、ブラケット１１２８と接触して固定されており、カムプレート１１３０によってその状態に保たれているときに、第１および第２ニーリング機構６１６，６１８は固定位置（状態）にあると見なされる。
【０１６７】
第２連接機構１２４４は、連接プレート１２４６と、連接部材１２４８とを備えている。
連接プレート１２４６は、取付開口部１２５２と、ピン開口部１２５４と、スロット１２５６とを有する、本質的に平面的な部材である。
取付開口部１２５２には、回転軸１２５８が挿入されている。その結果、連接プレート１２４６は、回転軸１２５８によって、プレート９６４の外側表面上に、回転可能に担持されている。
スロット１２５６には、回転軸９６８の第１円柱部分９８４が、スライド可能に挿入されている。その結果、スロット１２５６によって、連接プレート１２４６の回転移動が制限されている。
ピン開口部１２５４には、連接部材１２４８と相互作用するように、ピン１２６０が、固定的に挿入されている。なお、これに関しては、後に詳細な説明を行う。
【０１６８】
連接板１２４６は、さらに、連接ピン１２５０と相互作用して、第２背もたれサポート６２０の、内部および外部プレート９６４，９６６に対する相対的な回転選択的に防止する、第１ノッチ１２６２と、第２ノッチ１２６４をと備えている。
【０１６９】
連接部材１２４８は、スロット１２６６と、取付開口部１２６８とを備えている。
スロット１２６８には、ピン１２６０が回転可能に挿入されている。その結果、連接板１２４６が回転軸１２５８の周囲を回転すると、ピン１２６０はスロット１２６６に沿って平行移動することができる。
取付開口部１２６８は、ニーリングプレート１２３８へと、回転可能に取り付けられている。その結果、ニーリングプレート１２３８が回転軸１０４６の周囲を回転すると、連接部材１２４８が平行移動する。
なお、スロットの第２端１２７０と係合する前に、ピン１２６０が、スロット１２６６に沿って十分に移動していなければならないために、ニーリングプレート１２３８の最初の回転は、連接部材１２４８を平行移動させないことに注意されたい。
【０１７０】
連接プレート１２４６は、バネ１２７２によって、連接プレート１２４６が第２背もたれサポート６２０に向かって回転するように、固定位置（状態）または、図４８の視点における時計回り（ＣＷ）方向へと偏倚させている。
このようにして、第１および第２ニーリング機構６１６，６１８の少なくともひとつのが解放位置（状態）にあるときに、プレート９７０を、内部および外部プレート９６４，９６６と相対的な位置に固定するように、第１および第２ノッチ１２６２，１２６４は、支柱１００６を選択的に受容できるように、位置されている。なお、これに関しては、後に詳細な説明を行う。
【０１７１】
第１および第２ニーリング機構６１６，６１８が解放されると、ケーブル１２２２が緩み、その結果、バネ１２７２は、図４２の視点における時計回り（ＣＷ）方向へと、連接プレート１２４６を偏倚する。
予測されることであるが、ケーブル１２２２がピンと張っているときは、ホイール１２４２と、移動連接部材１２４０と、ニーリングプレート１２３８との相互作用によって、連接プレート１２４６は、（連接部材１２４８とピン１２６０とを介し、）バネ１２７２の偏倚に反発して、収納位置（状態）に保たれている。
前述のように、第１および第２ニーリング機構６１６，６１８が固定位置（状態）にあるときにだけ、ケーブル１２２２は張りつめた状態となる。
一旦ニーリング機構６１６，６１８が解放されると（すなわち解放位置（状態））、ケーブル１２２２が緩み、その結果、連接部材１２４８は、バネ１２７２によって回転されて、支柱１００６が、第１または第２ノッチ１２６２，１２６４と係合する。その結果、第２背もたれサポート６２０の、内部および外部プレート９６４，９６６に対して相対的な回転が防止される。
【０１７２】
なお、ＲＦＫ６００は、備えられているインボード機構６０２とアウトボード機構６０４とが異なっているように示されているが、あらゆるインボードおよびアウトボード機構を組み合わせて用いても良いことに注意されたい。また、そのようなものも、本発明の範囲内に含まれると見なされるべきである。
例えば、図１８には、小型のＲＦＫが示されており、この場合、巨大なインボード機構６０２は不必要である。
このような場合、２つの類似した「インボード」機構６０２，６０２’を用いてもよい。この場合、インボード機構６０２が、第２リクライニング機構６０６と、ニーリング機構６１６，６１８とを制御し、また、アウトボード機構６０２’が、第１リクライニング機構６０６と、ラッチ機構６１０，６１２とを制御する。
【０１７３】
図１８〜５０を参考にしながら、ＲＦＫ６００の動作について詳細な説明を行う。
第１動作モードにおいて、主回転軸７４８を回転させ、第１背もたれサポート６１８が、第１リクライニング機構６０６との係合から解放されるように、作動レバー６２８に力が加えられる。
主回転軸７４８が回転すると、それと同時にリクライニングカム６９２が回転し、その結果、前述のように、歯止め６９０が、第１背もたれサポート６１８の歯６３６との係合から解放される。
一旦、歯止め６９０の歯７１４が、第１背もたれサポート６１８の歯６３６との係合から解放されると、図３０に最もよく示されているように、第１背もたれサポート６１８は、内部および外部プレート６２４，６２６に対して相対的に、回転軸６４２の周囲を回転することができる。
【０１７４】
一旦、第１背もたれサポート６１８が歯止め６９０を解放した後、作動レバー６２８をさらに回転させると、フィンガー７３４のカム表面７３６が、扇形プレート６７６のカム表面６８２上へと移動する。
このようにして、扇形プレート６７６は、第１背もたれサポート６１８が、再度、立ち上がり位置（状態）または使用位置（状態）へと回転される時まで、歯止め６９０を、プレート６３０と係合しない状態に保つことができる。
【０１７５】
さらに、作動レバー６２８が回転すると、図３０に示されているように、リクライニングカム６９２の係合レッグ７４６が、移動カム６９４と係合する。
このように、作動レバー６２８に加えられた力は、これ以上リクライニングカム６９２を回転させない。
予測されることであるが、このような各部材間の関係により、主回転軸７４８をさらに回転させる、および、第１および第２フロアーラッチ機構６１０，６１２を解放するのに必要となる力が軽減される。
【０１７６】
この時点で、さらに作動レバー６２８と主回転軸７４８とが回転すると、作動支柱７８２が第１および第２フロアーラッチカム７０２，７０４と接触し、その結果、当該カム７０２，７０４が回転して、ケーブル８１２に張力が加えられる。
前述のように、さらに作動レバー６２８が回転すると、フロアーラッチカム７０２，７０４が回転し、その結果、ケーブル８１２は、回転軸８８６を中心として、カムフォーク８３４を回転させる。
【０１７７】
コイルバネ８９８の偏倚に反発した、カムフォーク８３４の回転により、ローラー８３８が、スロット８８４に沿って移動する。その結果、ロックレバー８３２が、クロー８３０のショルダー８５６から解放される。
一旦、ロックレバー８３２の伸張部８６２が、クロー８３０のショルダー８５６を解放すると、クロー８３０は、バネ８７４によって加えられる偏倚力によって、図３７の視点における時計回り（ＣＷ）方向に回転される。その結果、ストライカー６２２を解放し、フロアーラッチ機構６１０，６１２のロックを解除する。
一旦、フロアーラッチ機構６１０，６１２が、ストライカー６２２から解放されると、ＲＦＫ６００は、押し上げ回転位置（状態）へと、回転軸８４０の周囲を回転することができる。
回転軸８４０を中心にした、ＲＦＫの回転を補助するために、図１８に示されているように、複数のストラット１２７４が用いられている。
【０１７８】
前述のように、連接機構９１８は、第１および第２フロアーラッチ機構６１０，６１２の両方が、固定位置（状態）へと戻される時まで、第１背もたれサポート６１８が立ち上がり位置（状態）または使用位置（状態）に回転することを制限している。
フロアーラッチ機構６１０，６１２を、使用位置（状態）に戻すためには、ＲＦＫ６００が回転軸８４０の周囲を回転し、その結果、フロアーラッチ機構６１０，６１２がストライカー６２２に接近するように、ＲＦＫ６００に力が加えられる。
一旦、フロアーラッチ機構６１０，６１２が、ストライカー６２２と接触すると、クロー８３０が、バネ８７４の偏倚力に反発して回転する。
クロー８３０が図３７の視点における反時計回り（ＣＣＷ）方向に回転すると、クロー８３０は、バネ８７４を通して、ロックレバー８３２へと力を伝達する。
前述のように、このような力によって、ロックレバー８３２は時計回り（ＣＷ）方向に回転し、クロー８３０のショルダー８５６と係合する。その結果、クロー８３０が固定位置（状態）に固定される。
【０１７９】
一旦、第１および第２フロアーラッチ機構６１０，６１２が固定位置（状態）に移動すると、第１連接機構９１８は、第１背もたれサポート６１８が、内部および外部プレート６２４，６２６に対して相対的に回転することを可能にする。
具体的には、第１および第２フロアーラッチ機構６１０，６１２が固定位置（状態）へと戻されると、ケーブル８１２に張力が戻ってくる。その結果、フロアーラッチカム７０２，７０４が、連接部材９２０，９２２を、バネ９２５の偏倚に反発した方向へと回転させる。
連接部材９２０，９２２が上記のように回転すると、連接棒９２４が、図２９の視点における時計回り（ＣＷ）方向へと回転する。その結果、連接支柱９２６は、第１背もたれサポート６１８のプレート６３０との係合から解放される。
一旦、連接支柱９２６が十分にプレート６３０から離れると、第１背もたれサポート６１８は、バネ６６０の偏倚力に反発して、使用位置（状態）へと回転することができる。
【０１８０】
第２動作モードにおいては、まず、第２背もたれサポート６２０を、第２リクライニング機構６０８との係合から解放するために、作動レバー９６８に力が加えられる。
一旦、作動レバー９６８に回転力が加えられると、当該レバー９６８は、ケーブル１０５６を通じて、作動カム１０２８を回転させる。
この力は、図４２の視点における時計回り（ＣＷ）方向へと、作動カム１０２８を回転させることができ、その結果、その回転と同時に、回転軸１０４６と、鍵１０３０とが、反時計回り（ＣＣＷ）方向へと回転する。
鍵１０３０が上記のように回転すると、鍵１０３０の作用表面１０６４が、メインカム１０３２のピン１０７４と係合し、その結果、メインカム１０３２が時計回り（ＣＷ）方向へと回転する。
前述のように、鍵１０３０が十分に回転すると、その回転に応じて、移動棒１０３４が平行移動し、その結果、ロックカム１０３６は、歯止め１０３８の第１伸張部１１０８を解放する。
【０１８１】
一旦、ロックカム１０３６が、第１伸張部１１０８を解放すると、ロックカム１０３６の第１伸張部１１０８は、歯止め１０３８の第２伸張部１１１０と係合し、その結果、図４１の視点における反時計回り（ＣＣＷ）方向へと、歯止め１０３８が回転する。
この時点で、歯止め１０３８の歯１１１４は、プレート９７０の歯９７６を解放する。その結果、第２背もたれサポート６２０は、内部および外部プレート９６４，９６６に対して、相対的に回転できるようになる。
以下にその詳細が説明されているが、一旦、第２リクライニング機構６０８が解放されると、作動レバー９６８をさらに回転することで、ニーリング機構６１６，６１８が解放される。
【０１８２】
この時点で、第２背もたれサポート６２０は、完全にリクライニングした位置（状態）にある。その結果、さらに作動レバー９６８が回転すると、第１および第２ニーリング機構６１６，６１８の動作が開始される。
なお、一旦、第２リクライニング機構６０８が、第２背もたれサポート６２０との係合から解放されると、ピン１０７４は、カム表面１０３１において、鍵１０３０と係合する。その結果、回転軸１０４６がさらに回転しても、メインカム１０３２はそれ以上回転しなくなる。
このように、作動レバー９６８に加えられた力は、それ以上メインカム１０３２を回転させない。
予測されることであるが、このような各部材間の関係により、主回転軸１０４６をさらに回転させる、および、第１および第２ニーリング機構６１６，６１８を解放するのに必要となる力が軽減される。
【０１８３】
一旦、第２リクライニング機構６０８がリクライニング位置（状態）に移動すると、ケーブル１０５６を通じた、さらなる作動カムの回転によって、第１および第２ニーリング機構６１６，６１８が解放される。
具体的には、作動レバー９６８に加えられた力によって、係合アーム１０４４が、ニーリングプレート１２３８の伸張部１２３９と接触し、その結果、ニーリングプレート１２３８が、回転軸１０４６の周囲を回転する。
ニーリングプレートは、移動連接部材１２４０と、動作可能に相互接続されており、その結果、ニーリングプレート１２３８が回転軸１０４６の周囲を回転すると、それと同時に、移動連接部材１２４０が平行移動する。
移動連接部材１２４０が平行移動すると、それと同時にホイール１２４２が平行移動し、ケーブル１２２２に張力を加える。
予測されることであるが、前述のように、ケーブル１２２２上の張力は、それぞれのニーリング機構６１６，６１８の鍵１１３２へと伝達される。
【０１８４】
ケーブル１２２２から伝達された力によって、鍵１１３２と、カムプレート１１３０とが十分に回転すると、カムプレート１１３０の係合表面１２１４は、スライドピン１１２６を解放する。すると、スライドピン１１２６は、スロット１１９２に沿って、第２端１１９６から、第１端１１９４へと移動できるようになり、ニーリング機構６０６が効果的に解放される。
第１および第２ハウジングプレート１１２２，１１２４に外力が加えられて、第１および第２ハウジングプレート１１２２，１１２４が下部回転軸１１５２の周囲を回転するときに、上記のようにスライドピン１１２６が移動すると、スライドピン８０３が、ブラケット１１２８のカム表面１１８０に沿って移動する空間が提供される。
その結果、ピン１２３２が、スロット１１７８の第１端１１８２から、スロット１１７８の第２端１１９６へと移動できるようになる。従って、第１および第２ハウジングプレート１１２２，１１２４は、弓形表面１１７８に沿って、下部回転軸１１５２の周囲を回転できるようになる。
一旦、ニーリング機構６１６，６１８が解放位置（状態）に移動すると、ケーブル１２２２は緩んだ状態へと戻ると理解されたい。なお、これに関しては、後に詳細な説明を行う。
【０１８５】
ケーブル１２２２が緩んでいる時に、第２連接機構１２４４は、第２背もたれサポート６２０が、立ち上がり位置（状態）または使用位置（状態）に戻ることを防止している。
具体的には、前述のように、連接板１２４６は、バネ１２７２によって、連接板１２４６が第２背もたれサポート６２０に向かって回転するように、固定位置（状態）または、図４８の視点における時計回り（ＣＷ）方向へと偏倚させている。
このように、第１および第２ノッチ１２６２，１２６４は、前述のように、内部および外部プレート９６４，９６６と相対的な位置にプレート９７０を固定するため、選択的に支柱１００６を受容するように配置されている。
【０１８６】
第１および第２ニーリング機構６１６，６１８が解放されると、ケーブル１２２２が緩み、その結果、バネ１２７２は、図４４の視点における時計回り（ＣＷ）方向へと、連接プレート１２４６を偏倚する。
予測されることであるが、ケーブル１２２２がピンと張っているときは、ホイール１２４２と、移動連接部材１２４０と、ニーリングプレート１２３８との相互作用によって、連接プレート１２４６は、（連接部材１２４８とピン１２６０とを介し、）バネ１２７２の偏倚に反発して、収納位置（状態）に保たれている。
一旦、ニーリング機構６１６，６１８が解放されると（すなわち、解放位置（状態）など）、ケーブル１２２２が緩み、その結果、連接部材１２４８は、バネ１２７２によって回転されて、支柱１００６が、第１または第２ノッチ１２６２，１２６４と係合する。その結果、第２背もたれサポート６２０の、内部および外部プレート９６４，９６６に対して相対的な回転が防止される。
【０１８７】
ＲＦＫ６００を使用位置（状態）に戻すためには、カムプレート１１３０の係合表面１２１４がスライドピン１１２６と係合し、その結果、スライドピン１１２６が、スロット１１９２の第２端１１９６と、カムプレート１１３０との間に割り込む（wedge）まで、ＲＦＫ６００に力が加えられる。
この位置（状態）において、スライドピン１１２６は、スロット１１７８内部のピン８０３の移動を、効果的に制限している。その結果、前述のように、第１および第２ハウジングプレート１１２２，１１２４が、ブラケット１１２８と相対的に回転することが制限されている。
この時、鍵１１３２の回転によって、ケーブル１２２２に張力が加えられている。
【０１８８】
一旦、第１および第２ニーリング機構６１６，６１８の両方が固定位置（状態）へと戻されると、第２連接機構１２４４は、第２背もたれサポート６２０が、内部および外部プレート６２４，６２６に対して相対的に、回転することを可能にする。
前述のように、ケーブル１２２２上の張力は、ニーリング機構６１６，６１８が固定位置（状態）にあるということを示すものである。
上記のケーブル１２２２の張力によって、作動カム１０２８が回転し、連接部材１２４８が平行移動する。
連接部材１２４８が十分に平行移動すると、連接プレート１２４６が、図４４の視点における反時計回り（ＣＣＷ）方向へと回転する。その結果、連接プレート１２４６は、支柱１００６との係合から解放され、第２背もたれサポート６２０が、内部および外部プレート６２４，６２６に対して、相対的に回転することが可能となる。
【０１８９】
一旦、連接プレート１２４６が、第２背もたれサポート６２０から十分に離れると、第２背もたれサポート６２０は、コイルバネ１０００の偏倚力に反発して、使用位置（状態）へと回転されてもよい。
前述のように、第２背もたれサポート６２０は、歯止め１０３８と、プレート９７０との相互作用により、立ち上がり位置（状態）または使用位置（状態）に保たれる。
【０１９０】
前述のように、ＲＦＫ６００は、第１モードにおいて、シートに対して、背もたれをリクライニングまたは前方に折り畳むことを可能にしている。また、第２モードにおいて、シートに対して、背もたれを前方に折り畳み、シートアッセンブリを前方に押し上げ回転することを可能にしている。また、第３モードにおいては、シートアッセンブリの、前方への屈曲、または、「ひざまずくこと」を可能にしている。
さらに、ＲＦＫ６００は、フロアーラッチ機構６１０，６１２またはニーリング機構６１６，６１８のいずれか１つが固定されていない、または固定位置にない場合に、第１，第２連接機構９１８，１２４４および第１，第２リクライニング機構６０６，６０８の相互作用関係を利用して、シートに対して相対的な背もたれの回転を制限することができる。
【０１９１】
本発明の詳細な説明は、本質的に例示のみを目的としたものであり、ゆえに、本発明の大意より逸脱しないような変更を加えたものも、本発明の範囲内に含まれるものであると考えられる。
従って、上記のような、変更を加えたものは、本発明の範囲または精神から逸脱したものであるとは見なされない。
【図面の簡単な説明】
【０１９２】
【図１】図１は、本発明の原理に基づいた、リクライニング・フロアーラッチ・ニーリングアッセンブリの透視図である。
【図２】図２は、外部プレートを取り外した状態の、図１のリクライニング・フロアーラッチ・ニーリングアッセンブリの第１部分（first half）を示した側面図である。
【図３】図３は、部プレートを取り外した状態の、図１のリクライニング・フロアーラッチ・ニーリングアッセンブリの第２部分（second half）を示した側面図である。
【図４ａ】図４ａは、リクライニング・フロアーラッチ・ニーリングアッセンブリの第１リクライニング機構の分解図である。
【図４ｂ】図４ｂは、図４ａ中の特定の部品をより詳細に示した分解図である。
【図５ａ】図５ａは、リクライニング・フロアーラッチ・ニーリングアッセンブリの第２リクライニング機構の分解図である。
【図５ｂ】図５ｂは、図５ａ中の特定の部品をより詳細に示した分解図である。
【図６ａ】図６ａは、リクライニング・フロアーラッチ・ニーリングアッセンブリのラッチ機構の分解図である。
【図６ｂ】図６ｂは、図６ａ中の特定の部品をより詳細に示した分解図である。
【図７】図７は、リクライニング・フロアーラッチ・ニーリングアッセンブリのニーリング機構の分解図である。
【図８】図８は、制動アッセンブリ（trigger assembly）が作動した状態の、第１リクライニング機構の側面図である。
【図９】図９は、制動アッセンブリが作動して、背もたれ補助部材と係合している状態の、第１リクライニング機構の側面図である。
【図１０】図１０は、制動アッセンブリが元に戻された状態の、第１リクライニング機構の側面図である。
【図１１】図１１は、固定位置（状態）にある時の、連接機構の側面図である。
【図１２】図１２は、解放位置（状態）にある時の、連接機構の側面図である。
【図１３ａ】図１３ａは、固定位置（状態）におけるラッチ機構の内部動作を示すために、ハウジングの一部を取り除いた状態の、ラッチ機構の側面図である。
【図１３ｂ】図１３ｂは、解放位置（状態）におけるラッチ機構の内部動作を示すために、ハウジングの一部を取り除いた状態の、ラッチ機構の側面図である。
【図１４ａ】図１４ａは、固定状態におけるニーリング機構の内部動作を示すために、ハウジングの一部を取り除いた状態の、ニーリング機構の側面図である。
【図１４ｂ】図１４ｂは、非固定状態におけるニーリング機構の内部動作を示すために、ハウジングの一部を取り除いた状態の、ニーリング機構の側面図である。
【図１５】図１５は、シートアッセンブリ内の、リクライニング・フロアーラッチ・ニーリングアッセンブリの側面図である。
【図１６】図１６は、シートアッセンブリが、ある程度、前方へと押し上げ回転（dumped forward）された状態の、シートアッセンブリの側面図である。
【図１７】図１７は、ニーリング位置（状態）にあるシートアッセンブリの側面図である。
【図１８】図１８は、本発明の原理に基づいて各機構を組み合わせた、リクライニング・フロアーラッチ・ニーリング（ＲＦＫ）機構を示す透視図である。
【図１９】図１９は、立ち上がり位置（状態）、または使用位置（状態）にある、図１８のＲＦＫの側面図である。
【図２０】図２０は、背もたれが前方にリクライニングした状態の、図１８のＲＦＫの側面図である。
【図２１】図２１は、押し上げ回転位置（状態）（dumped position）に向かって回転している状態の、図１８のＲＦＫの側面図である。
【図２２】図２２は、ニーリング位置（状態）にある、図１８のＲＦＫの側面図である。
【図２３】図２３は、本発明の原理に基づいた、第１リクライニング機構の、第１側面からの側面図である。
【図２４】図２４は、図２３の第１リクライニング機構の分解図である。
【図２５】図２５は、図２４の特定の部品をより詳細に示した分解図である。
【図２６】図２６は、図２４の特定の部品をより詳細に示した分解図である。
【図２７】図２７は、図２４の特定の部品をより詳細に示した分解図である。
【図２８】図２８は、立ち上がり位置（状態）にある、図２３のリクライニング機構を、第２側面から見た側面図である。
【図２９】図２９は、背もたれが前方にリクライニングした位置（状態）にある、図２３のリクライニング機構を、第１側面から見た側面図である。
【図３０】図３０は、背もたれが前方にリクライニングした位置（状態）にある、図２３のリクライニング機構を、第２側面から見た側面図である。
【図３１】図３１は、背もたれが後方にリクライニングした位置（状態）にある、図２３のリクライニング機構を、第１側面から見た側面図である。
【図３２】図３２は、その内部動作を示すために、ハウジングの一部を取り除いた状態の、本発明の原理に基づいたフロアーラッチ機構の側面図である。
【図３３】図３３は、図３２のフロアーラッチ機構の分解図である。
【図３４】図３４は、固定位置（状態）における、図３２のラッチ機構の側面図である。
【図３５】図３５は、固定位置（状態）におけるラッチ機構の内部動作を示すために、ハウジングの一部を取り除いた状態の、図３２のラッチ機構の側面図である。
【図３６】図３６は、非固定位置（状態）における、図３２のラッチ機構の側面図である。
【図３７】図３７は、非固定位置（状態）におけるラッチ機構の内部動作を示すために、ハウジングの一部を取り除いた状態の、図３２のラッチ機構の側面図である。
【図３８】図３８は、本発明の原理に基づいた、第２リクライニング機構を、第１側面から見た側面図である。
【図３９】図３９は、図３８の第２リクライニング機構の分解図である。
【図４０】図４０は、図３９の特定の部品をより詳細に示した分解図である。
【図４１】図４１は、背もたれが前方にリクライニングした位置（状態）にある、図３８のリクライニング機構を、第１側面から見た側面図である。
【図４２】図４２は、背もたれが前方にリクライニングした位置（状態）にある、図３８のリクライニング機構を、第２側面から見た側面図である。
【図４３】図４３は、背もたれが後方にリクライニングした位置（状態）にある、図３８のリクライニング機構を、第１側面から見た側面図である。
【図４４】図４４は、後方にリクライニングした位置（状態）にある、図３８のリクライニング機構を、第２側面から見た側面図である。
【図４５】図４５は、本発明の原理に基づいた、ニーリング機構の側面図である。
【図４６】図４６は、図４５のニーリング機構の分解図である。
【図４７】図４７は、固定位置（状態）にある、図４５のニーリング機構を、第１側面から見た側面図である。
【図４８】図４８は、固定位置（状態）にある、図４５のニーリング機構を、第２側面から見た側面図である。
【図４９】図４９は、解放位置（状態）、または、ニーリング位置（状態）にある、図４５のニーリング機構を、第１側面から見た側面図である。
【図５０】図５０は、解放位置（状態）、または、ニーリング位置（状態）にある、図４５のニーリング機構を、第２側面から見た側面図である。
【図１】
2006505379.tif 000003
【図２】
2006505379.tif 000004
【図３】
2006505379.tif 000005
2006505379.tif 000006
2006505379.tif 000007
2006505379.tif 000008
2006505379.tif 000009
2006505379.tif 000010
2006505379.tif 000011
【図７】
2006505379.tif 000012
【図８】
2006505379.tif 000013
【図９】
2006505379.tif 000014
【図１０】
2006505379.tif 000015
【図１１】
2006505379.tif 000016
【図１２】
2006505379.tif 000017
2006505379.tif 000018
2006505379.tif 000019
2006505379.tif 000020
2006505379.tif 000021
【図１５】
2006505379.tif 000022
【図１６】
2006505379.tif 000023
【図１７】
2006505379.tif 000024
【図１８】
2006505379.tif 000025
【図１９】
2006505379.tif 000026
【図２０】
2006505379.tif 000027
【図２１】
2006505379.tif 000028
【図２２】
2006505379.tif 000029
【図２３】
2006505379.tif 000030
【図２４】
2006505379.tif 000031
【図２５】
2006505379.tif 000032
【図２６】
2006505379.tif 000033
【図２７】
2006505379.tif 000034
【図２８】
2006505379.tif 000035
【図２９】
2006505379.tif 000036
【図３０】
2006505379.tif 000037
【図３１】
2006505379.tif 000038
【図３２】
2006505379.tif 000039
【図３３】
2006505379.tif 000040
【図３４】
2006505379.tif 000041
【図３５】
2006505379.tif 000042
【図３６】
2006505379.tif 000043
【図３７】
2006505379.tif 000044
【図３８】
2006505379.tif 000045
【図３９】
2006505379.tif 000046
【図４０】
2006505379.tif 000047
【図４１】
2006505379.tif 000048
【図４２】
2006505379.tif 000049
【図４３】
2006505379.tif 000050
【図４４】
2006505379.tif 000051
【図４５】
2006505379.tif 000052
【図４６】
2006505379.tif 000053
【図４７】
2006505379.tif 000054
【図４８】
2006505379.tif 000055
【図４９】
2006505379.tif 000056
【図５０】
2006505379.tif 000057
【国際調査報告】
2006505379.tif 000058